(57)【要約】【課題】リニアリティ不良起因の画像欠陥を引き起こし得る光電変換素子を確実に把握可能な画像読み取り装置及びその原稿ホルダを実現する。【解決手段】原稿からの画像の読み取り動作を行う画像読み取り装置であって、（Ａ）原稿を照らすための光源と、（Ｂ）受けた光の量に応じた量の電荷を発生する複数の光電変換素子と、（Ｃ）前記光源によって前記原稿を照らした際に、受けた光によって前記光電変換素子が発生する前記電荷の量に基づいて前記画像の読み取りデータを生成する読み取りデータ生成部と、（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、（Ｅ）を備えたことを特徴とする画像読み取り装置。【選択図】    図２４
2007088616.tif 000002
【特許請求の範囲】
【請求項１】
原稿からの画像の読み取り動作を行う画像読み取り装置であって、
（Ａ）原稿を照らすための光源と、
（Ｂ）受けた光の量に応じた量の電荷を発生する複数の光電変換素子と、
（Ｃ）前記光源によって前記原稿を照らした際に、受けた光によって前記光電変換素子が発生する前記電荷の量に基づいて前記画像の読み取りデータを生成する読み取りデータ生成部と、
（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、
（Ｅ）を備えたことを特徴とする画像読み取り装置。
【請求項２】
請求項１に記載の画像読み取り装置であって、
前記判定は、前記電源投入の度に行われることを特徴とする画像読み取り装置。
【請求項３】
請求項１又は２に記載の画像読み取り装置であって、
前記判定は、前記光電変換素子による最初の読み取り動作の前に行われることを特徴とする画像読み取り装置。
【請求項４】
請求項１乃至３のいずれかに記載の画像読み取り装置であって、
不良であると判定された前記光電変換素子に関する情報を記憶するためのメモリを備え、
前記判定の度に、前記メモリに記憶された前記情報は更新されることを特徴とする画像読み取り装置。
【請求項５】
請求項４に記載の画像読み取り装置であって、
前記メモリの前記情報に基づいて、前記不良であると判定された光電変換素子を把握し、
前記不良であると判定された光電変換素子の電荷に基づく読み取りデータを、前記光電変換素子の両隣に位置する光電変換素子の電荷の量に基づく読み取りデータによって補間して求めることを特徴とする画像読み取り装置。
【請求項６】
請求項４又は５に記載の画像読み取り装置であって、
前記判定は、前記光電変換素子による最初の読み取り動作の前にのみ行われ、それ以降の読み取り動作に対して前記判定は行われず、
前記それ以降の読み取り動作においては、前記メモリの前記情報に基づいて、前記不良であると判定された光電変換素子を把握することを特徴とする画像読み取り装置。
【請求項７】
請求項１乃至６のいずれかに記載の画像読み取り装置であって、
前記判定は、判定対象の光電変換素子が発生する電荷の量と、その両隣に位置する光電変換素子が発生する各電荷の量との各偏差に基づいて行われることを特徴とする画像読み取り装置。
【請求項８】
請求項１乃至７のいずれかに記載の画像読み取り装置であって、
前記判定では、前記光源からの光を所定の透過率のフィルタ部材に透過させることによって、前記光源からの光の量を前記所定量まで落として前記光電変換素子に受けさせることを特徴とする画像読み取り装置。
【請求項９】
請求項８に記載の画像読み取り装置であって、
前記フィルタ部材は、膜体であることを特徴とする画像読み取り装置。
【請求項１０】
請求項１乃至９のいずれかに記載の画像読み取り装置であって、
前記複数の光電変換素子は、所定方向に沿って並んで配置されており、
前記複数の光電変換素子が、前記所定方向と交差する方向に沿って移動することによって、原稿からの画像の読み取り動作が行われることを特徴とする画像読み取り装置。
【請求項１１】
請求項１乃至１０のいずれかに記載の画像読み取り装置であって、
検出した電荷の量に応じた大きさの信号を出力する検出部を有し、
前記複数の光電変換素子が発生した電荷は、所定の移動経路を通って前記検出部へ移動されることを特徴とする画像読み取り装置。
【請求項１２】
請求項１１に記載の画像読み取り装置であって、
前記複数の光電変換素子は、それぞれに、レッドの光を受けるフォトダイオードと、ブルーの光を受けるフォトダイオードと、グリーンの光を受けるフォトダイオードとを有し、
これら３つのフォトダイオードは、互いに、前記検出部までの移動距離が異なっていることを特徴とする画像読み取り装置。
【請求項１３】
原稿からの画像の読み取り動作を行う画像読み取り装置であって、
（Ａ）原稿を照らすための光源と、
（Ｂ）受けた光の量に応じた量の電荷を発生する複数の光電変換素子と、
（Ｃ）前記光源によって前記原稿を照らした際に、受けた光によって前記光電変換素子が発生する前記電荷の量に基づいて前記画像の読み取りデータを生成する読み取りデータ生成部と、
（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、
（Ｅ）を備えており、
前記判定は、前記電源投入の度に行われ、
前記判定は、前記光電変換素子による最初の読み取り動作の前に行われ、
不良であると判定された前記光電変換素子に関する情報を記憶するためのメモリを備え、前記判定の度に、前記メモリに記憶された前記情報は更新され、
前記メモリの前記情報に基づいて、前記不良であると判定された光電変換素子を把握し、前記不良であると判定された光電変換素子の電荷に基づく読み取りデータを、前記光電変換素子の両隣に位置する光電変換素子の電荷の量に基づく読み取りデータによって補間して求め、
前記判定は、判定対象の光電変換素子が発生する電荷の量と、その両隣に位置する光電変換素子が発生する各電荷の量との各偏差に基づいて行われ、前記判定では、前記光源からの光を所定の透過率のフィルタ部材に透過させることによって、前記光源からの光の量を前記所定量まで落として前記光電変換素子に受けさせ、
前記フィルタ部材は、膜体であり、
前記複数の光電変換素子は、所定方向に沿って並んで配置されており、前記複数の光電変換素子が、前記所定方向と交差する方向に沿って移動することによって、原稿からの画像の読み取り動作が行われ、
検出した電荷の量に応じた大きさの信号を出力する検出部を有し、前記複数の光電変換素子が発生した電荷は、所定の移動経路を通って前記検出部へ移動され、
前記複数の光電変換素子は、それぞれに、レッドの光を受けるフォトダイオードと、ブルーの光を受けるフォトダイオードと、グリーンの光を受けるフォトダイオードとを有し、これら３つのフォトダイオードは、互いに、前記検出部までの移動距離が異なっていることを特徴とする画像読み取り装置。
【請求項１４】
載置面に載置された原稿を光源で照らした際に、受けた光によって光電変換素子が発生する電荷の量に基づいて前記原稿の画像を読み取る画像読み取り装置の原稿ホルダであって、
（Ａ）前記載置面における前記原稿の位置決めをすべく、前記原稿を保持した状態で前記載置面に載置される原稿ホルダ本体と、
（Ｂ）受けた光によって前記光電変換素子が発生する電荷の量に基づいて該光電変換素子が不良か否かを判定すべく、前記光源からの光を透過させて前記光電変換素子に受けさせるための所定の透過率のフィルタ部材と、
（Ｃ）を備えていることを特徴とする原稿ホルダ。
【請求項１５】
請求項１４に記載の原稿ホルダであって、
前記フィルタ部材は、膜体であることを特徴とする原稿ホルダ。
【請求項１６】
請求項１４又は１５に記載の原稿ホルダであって、
前記原稿は透過原稿であり、
前記原稿から画像を読み取る際に、前記光電変換素子は、前記光源からの光を前記透過原稿に透過して受けることを特徴とする原稿ホルダ。
【請求項１７】
請求項１４乃至１６のいずれかに記載の原稿ホルダであって、
前記光電変換素子は、所定方向に沿って並んで配置されており、
前記光電変換素子が、前記所定方向と交差する方向に移動することにより、前記原稿からの画像の読み取り動作が行われ、
電源投入時に前記光電変換素子は、前記所定方向に関する所定の待機ポジションに停止し、
前記原稿ホルダ本体が前記載置面に載置された際に、前記原稿よりも前記待機ポジションに近い部分に前記フィルタ部材は設けられていることを特徴とする原稿ホルダ。
【請求項１８】
請求項１７に記載の原稿ホルダであって、
前記フィルタ部材の前記所定方向の長さは、前記所定方向に関して前記原稿の画像からはみ出す長さに設定されていることを特徴とする原稿ホルダ。
【請求項１９】
請求項１４乃至１８のいずれかに記載の原稿ホルダであって、
前記載置面には、互いに係合し合う一対の係合部のうちのいずれか一方の係合部が形成されるとともに、前記原稿ホルダ本体にはもう一方の係合部が形成され、
これら係合部が互いに係合した状態において、前記原稿ホルダ本体が保持する前記原稿の位置は、前記光電変換素子によって前記原稿の画像を読み取れる位置に位置決めされることを特徴とする原稿ホルダ。
【請求項２０】
載置面に載置された原稿を光源で照らした際に、受けた光によって光電変換素子が発生する電荷の量に基づいて前記原稿の画像を読み取る画像読み取り装置の原稿ホルダであって、
（Ａ）前記載置面における前記原稿の位置決めをすべく、前記原稿を保持した状態で前記載置面に載置される原稿ホルダ本体と、
（Ｂ）受けた光によって前記光電変換素子が発生する電荷の量に基づいて該光電変換素子が不良か否かを判定すべく、前記光源からの光を透過させて前記光電変換素子に受けさせるための所定の透過率のフィルタ部材と、
（Ｃ）を備えており、
前記フィルタ部材は、膜体であり、前記原稿は透過原稿であり、前記原稿から画像を読み取る際に、前記光電変換素子は、前記光源からの光を前記透過原稿に透過して受け、
前記光電変換素子は、所定方向に沿って並んで配置されており、前記光電変換素子が、前記所定方向と交差する方向に移動することにより、前記原稿からの画像の読み取り動作が行われ、電源投入時に前記光電変換素子は、前記所定方向に関する所定の待機ポジションに停止し、前記原稿ホルダ本体が前記載置面に載置された際に、前記原稿よりも前記待機ポジションに近い部分に前記フィルタ部材は設けられており、
前記フィルタ部材の前記所定方向の長さは、前記所定方向に関して前記原稿の画像からはみ出す長さに設定されており、
前記載置面には、互いに係合し合う一対の係合部のうちのいずれか一方の係合部が形成されるとともに、前記原稿ホルダ本体にはもう一方の係合部が形成され、これら係合部が互いに係合した状態において、前記原稿ホルダ本体が保持する前記原稿の位置は、前記光電変換素子によって前記原稿の画像を読み取れる位置に位置決めされることを特徴とする原稿ホルダ。
【発明の詳細な説明】
【技術分野】
【０００１】
この発明は、画像読み取り装置及びその原稿ホルダに関する。
【背景技術】
【０００２】
スキャナ等の画像読み取り装置には、原稿から画像を読み取るためのイメージセンサが設けられている。このイメージセンサは、フォトダイオード等の複数の光電変換素子を備え、これら光電変換素子は、受けた光の量に応じた量の電荷を発生する。そして、この電荷の量を検出することで、画像読み取りが行われる（特許文献１及び２を参照）。
【特許文献１】特開平１０−２７６３０５号公報
【特許文献２】特開平１０−２７６３６８号公報
【発明の開示】
【発明が解決しようとする課題】
【０００３】
但し、イメージセンサは、次の不具合を起こす虞がある。すなわち、光電変換素子が発生した電荷の量を検出すべく前記電荷を検出部へと移動する際に、その電荷の一部が移動経路等に残留してしまい、全ての電荷が検出部へと移動されないことがある。  
この種の不具合はリニアリティ不良と呼ばれ、これが起きた場合には、読み取った画像において、リニアリティ不良の光電変換素子が担当する部分に筋状の画像欠陥が生じてしまい、読み取った画像は不適当なものになる。  
そこで、画像読み取り装置の生産ラインの出荷前検査の一つとして、リニアリティ不良の検査を行うことが検討されており、リニアリティ不良の光電変換素子が見つかった場合には、その光電変換素子の位置情報を画像読み取り装置のメモリ等に記憶する。そして、出荷後にユーザの元でなされる画像読み取りの際には、前記位置情報で特定されるリニアリティ不良の光電変換素子に基づく読み取りデータは用いない代わりに、この位置に対応するデータを、前記光電変換素子の両隣に位置する光電変換素子の読み取りデータによって補間して生成し、前述の筋状の画像欠陥を補おうとしている。
【０００４】
しかしながら、このリニアリティ不良の発生には温度依存性があって、生産ラインの出荷前検査で良判定の光電変換素子であっても、出荷後の使用温度環境によっては、リニアリティ不良を引き起こす虞が有る。つまり、出荷前検査だけでは、リニアリティ不良起因の画像欠陥を引き起こし得る光電変換素子を確実に把握することは困難であると考えられる。  
本発明は、このような事情に鑑みてなされたものであって、その目的は、リニアリティ不良起因の画像欠陥を引き起こし得る光電変換素子を確実に把握可能な画像読み取り装置及びその原稿ホルダを実現することにある。
【課題を解決するための手段】
【０００５】
前記目的を達成するための主たる発明は、
原稿からの画像の読み取り動作を行う画像読み取り装置であって、
（Ａ）原稿を照らすための光源と、
（Ｂ）受けた光の量に応じた量の電荷を発生する複数の光電変換素子と、
（Ｃ）前記光源によって前記原稿を照らした際に、受けた光によって前記光電変換素子が発生する前記電荷の量に基づいて前記画像の読み取りデータを生成する読み取りデータ生成部と、
（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、
（Ｅ）を備えたことを特徴とする画像読み取り装置である。
【０００６】
本発明の他の特徴については、本明細書及び添付図面の記載により明確にする。
【発明を実施するための最良の形態】
【０００７】
本明細書及び添付図面の記載により、少なくとも次のことが明らかにされる。
【０００８】
原稿からの画像の読み取り動作を行う画像読み取り装置であって、
（Ａ）原稿を照らすための光源と、
（Ｂ）受けた光の量に応じた量の電荷を発生する複数の光電変換素子と、
（Ｃ）前記光源によって前記原稿を照らした際に、受けた光によって前記光電変換素子が発生する前記電荷の量に基づいて前記画像の読み取りデータを生成する読み取りデータ生成部と、
（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、
（Ｅ）を備えたことを特徴とする画像読み取り装置。
【０００９】
このような画像読み取り装置によれば、電源投入後から読み取り動作までの間に、判定部はリニアリティ不良の判定（すなわち、所定量の光を前記光電変換素子が受けた時に該光電変換素子が発生する電荷の量に基づいて前記光電変換素子が不良か否かの判定）を行う。  
よって、出荷後にユーザの都合で使用環境が変わっても、その環境下でリニアリティ不良の判定を行うので、その環境下にてリニアリティ不良となり得る光電変換素子を把握できる。つまり、使用環境の変化によらず、リニアリティ不良起因の画像欠陥を引き起こし得る光電変換素子を把握可能となる。
【００１０】
かかる画像読み取り装置であって、
前記判定は、前記電源投入の度に行われるのが望ましい。  
このような画像読み取り装置によれば、その電源投入の度にリニアリティ不良の判定を行うので、出荷後におけるユーザの下での日々の環境変化によらず、リニアリティ不良起因の画像欠陥を引き起こし得る光電変換素子を把握可能となる。
【００１１】
かかる画像読み取り装置であって、
前記判定は、前記光電変換素子による最初の読み取り動作の前に行われるのが望ましい。  
このような画像読み取り装置によれば、前記判定は、最初の読み取り動作の前に行われる。よって、その環境下にてリニアリティ不良となり得る光電変換素子を、より一層確実に把握可能となる。
【００１２】
この理由は次の通りである。リニアリティ不良は、温度が低い程に発生し易い傾向を有し、また、電源投入以降にあっては、画像読み取り装置の内部温度は、その電力消費に伴って上昇していく。従って、上述の「最初の読み取り動作の前」という時点は、画像読み取り装置の内部温度が最も低くなる時であり、この時にリニアリティ不良の判定をしておけば、それ以降で、良判定であった光電変換素子がリニアリティ不良となる虞は殆どない。その結果、画像欠陥を引き起こし得る光電変換素子を確実に把握可能となる。
【００１３】
かかる画像読み取り装置であって、
不良であると判定された前記光電変換素子に関する情報を記憶するためのメモリを備え、
前記判定の度に、前記メモリに記憶された前記情報は更新されるのが望ましい。  
このような画像読み取り装置によれば、リニアリティ不良の光電変換素子が経時的に変化し得る場合であっても、前記メモリを参照すれば、概ね現時点でのリニアリティ不良の光電変換素子を確実に把握することができて、その後に行われる対処の際に便利である。
【００１４】
かかる画像読み取り装置であって、
前記メモリの前記情報に基づいて、前記不良であると判定された光電変換素子を把握し、
前記不良であると判定された光電変換素子の電荷に基づく読み取りデータを、前記光電変換素子の両隣に位置する光電変換素子の電荷の量に基づく読み取りデータによって補間して求めるのが望ましい。  
このような画像読み取り装置によれば、不良の光電変換素子に起因した読み取りデータの異常値を用いずに読み取り画像を構成することができ、その結果として、読み取り画像の画像欠陥を防止可能となる。
【００１５】
かかる画像読み取り装置であって、
前記判定は、前記光電変換素子による最初の読み取り動作の前にのみ行われ、それ以降の読み取り動作に対して前記判定は行われず、
前記それ以降の読み取り動作においては、前記メモリの前記情報に基づいて、前記不良であると判定された光電変換素子を把握するのが望ましい。  
このような画像読み取り装置によれば、前記判定は、最初の読み取り動作の前だけに行われ、それ以降の読み取り動作に対しては行われない。よって、前記それ以降の読み取り動作のスループットを高めることができる。
【００１６】
かかる画像読み取り装置であって、
前記判定は、判定対象の光電変換素子が発生する電荷の量と、その両隣に位置する光電変換素子が発生する各電荷の量との各偏差に基づいて行われるのが望ましい。  
このような画像読み取り装置によれば、リニアリティ不良の光電変換素子を正確に見つけることができる。なぜなら、リニアリティ不良の発生の仕方としては、光電変換素子単位で発生する傾向が強く、隣り合う複数の光電変換素子に亘って発生する傾向は少ないためである。よって、上述のように、両隣の光電変換素子との比較によって、リニアリティ不良の光電変換素子を正確に見つけ出すことができる。
【００１７】
かかる画像読み取り装置であって、
前記判定では、前記光源からの光を所定の透過率のフィルタ部材に透過させることによって、前記光源からの光の量を前記所定量まで落として前記光電変換素子に受けさせるのが望ましい。  
このような画像読み取り装置によれば、所定の透過率のフィルタ部材を用いるという簡単な方法によって、リニアリティ不良の判定の際に光電変換素子に当てるべき前記所定量の光を容易に作り出すことができる。
【００１８】
かかる画像読み取り装置であって、
前記フィルタ部材は、膜体であるのが望ましい。  
このような画像読み取り装置によれば、前記フィルタ部材に膜体を用いるので、リニアリティ不良の判定の際に取り扱い易い。
【００１９】
かかる画像読み取り装置であって、
前記複数の光電変換素子は、所定方向に沿って並んで配置されており、
前記複数の光電変換素子が、前記所定方向と交差する方向に沿って移動することによって、原稿からの画像の読み取り動作が行われるようにしても良い。
【００２０】
かかる画像読み取り装置であって、
検出した電荷の量に応じた大きさの信号を出力する検出部を有し、
前記複数の光電変換素子が発生した電荷は、所定の移動経路を通って前記検出部へ移動されるものでも良い。
【００２１】
このような画像読み取り装置によれば、前記移動経路に電荷が残留する虞があるため、光電変換素子のリニアリティ不良が発生し易い。従って、本発明にかかる作用効果をより有効に享受できる。
【００２２】
かかる画像読み取り装置であって、
前記複数の光電変換素子は、それぞれに、レッドの光を受けるフォトダイオードと、ブルーの光を受けるフォトダイオードと、グリーンの光を受けるフォトダイオードとを有し、
これら３つのフォトダイオードは、互いに、前記検出部までの移動距離が異なっていてもかまわない。  
このような画像読み取り装置によれば、前記検出部までの移動距離が前記３つのフォトダイオードで互いに異なっているので、前記検出部までの移動経路が長くなるフォトダイオードが存在することになる。よって、光電変換素子のリニアリティ不良が、より発生し易くなり、もって本発明にかかる作用効果をより有効に享受できる。
【００２３】
また、原稿からの画像の読み取り動作を行う画像読み取り装置であって、
（Ａ）原稿を照らすための光源と、
（Ｂ）受けた光の量に応じた量の電荷を発生する複数の光電変換素子と、
（Ｃ）前記光源によって前記原稿を照らした際に、受けた光によって前記光電変換素子が発生する前記電荷の量に基づいて前記画像の読み取りデータを生成する読み取りデータ生成部と、
（Ｄ）所定量の光を前記光電変換素子が受けた時に該光電変換素子が発生する電荷の量に基づいて前記光電変換素子が不良か否かの判定を、電源投入後から読み取り動作までの間に行う判定部と、
（Ｅ）を備えており、
前記判定は、前記電源投入の度に行われ、
前記判定は、前記光電変換素子による最初の読み取り動作の前に行われ、
不良であると判定された前記光電変換素子に関する情報を記憶するためのメモリを備え、前記判定の度に、前記メモリに記憶された前記情報は更新され、
前記メモリの前記情報に基づいて、前記不良であると判定された光電変換素子を把握し、前記不良であると判定された光電変換素子の電荷に基づく読み取りデータを、前記光電変換素子の両隣に位置する光電変換素子の電荷の量に基づく読み取りデータによって補間して求め、
前記判定は、判定対象の光電変換素子が発生する電荷の量と、その両隣に位置する光電変換素子が発生する各電荷の量との各偏差に基づいて行われ、前記判定では、前記光源からの光を所定の透過率のフィルタ部材に透過させることによって、前記光源からの光の量を前記所定量まで落として前記光電変換素子に受けさせ、
前記フィルタ部材は、膜体であり、
前記複数の光電変換素子は、所定方向に沿って並んで配置されており、前記複数の光電変換素子が、前記所定方向と交差する方向に沿って移動することによって、原稿からの画像の読み取り動作が行われ、
検出した電荷の量に応じた大きさの信号を出力する検出部を有し、前記複数の光電変換素子が発生した電荷は、所定の移動経路を通って前記検出部へ移動され、
前記複数の光電変換素子は、それぞれに、レッドの光を受けるフォトダイオードと、ブルーの光を受けるフォトダイオードと、グリーンの光を受けるフォトダイオードとを有し、これら３つのフォトダイオードは、互いに、前記検出部までの移動距離が異なっていることを特徴とする画像読み取り装置。  
このような画像読み取り装置によれば、既述の全ての効果を奏するため、本発明の目的がより有効に達成される。
【００２４】
載置面に載置された原稿を光源で照らした際に、受けた光によって光電変換素子が発生する電荷の量に基づいて前記原稿の画像を読み取る画像読み取り装置の原稿ホルダであって、
（Ａ）前記載置面における前記原稿の位置決めをすべく、前記原稿を保持した状態で前記載置面に載置される原稿ホルダ本体と、
（Ｂ）受けた光によって前記光電変換素子が発生する電荷の量に基づいて該光電変換素子が不良か否かを判定すべく、前記光源からの光を透過させて前記光電変換素子に受けさせるための所定の透過率のフィルタ部材と、
（Ｃ）を備えていることを特徴とする原稿ホルダ。  
このような原稿ホルダによれば、原稿ホルダは、リニアリティ不良の判定するためのフィルタ部材を備えている。よって、原稿ホルダの原稿から画像を読み取る際に、リニアリティ不良の判定を行うことができて、その読み取り動作においてリニアリティ不良起因の画像欠陥を引き起こしうる光電変換素子を確実に把握可能となる。
【００２５】
前記原稿ホルダが前記フィルタ部材を備えているので、当該フィルタ部材を紛失し難くなる。
【００２６】
かかる原稿ホルダであって、
前記フィルタ部材は、膜体であるのが望ましい。  
このような原稿ホルダによれば、前記フィルタ部材に膜体を用いるので、フィルタ部材の追設による原稿ホルダの外形寸法の大型化を抑制できて、コンパクトな原稿ホルダを提供できる。
【００２７】
かかる原稿ホルダであって、
前記原稿は透過原稿であり、
前記原稿から画像を読み取る際に、前記光電変換素子は、前記光源からの光を前記透過原稿に透過して受けるようにしても良い。
【００２８】
かかる原稿ホルダであって、
前記光電変換素子は、所定方向に沿って並んで配置されており、
前記光電変換素子が、前記所定方向と交差する方向に移動することにより、前記原稿からの画像の読み取り動作が行われ、
電源投入時に前記光電変換素子は、前記所定方向に関する所定の待機ポジションに停止し、
前記原稿ホルダ本体が前記載置面に載置された際に、前記原稿よりも前記待機ポジションに近い部分に前記フィルタ部材は設けられているのが望ましい。  
このような原稿ホルダによれば、画像の読み取り動作をする際に行われる一連の動作のなかでリニアリティ不良の判定をする場合に、光電変換素子の前記所定方向に関する移動距離を短くすることができて、前記一連の動作を短時間で終えることができる。
【００２９】
かかる原稿ホルダであって、
前記フィルタ部材の前記所定方向の長さは、前記所定方向に関して前記原稿の画像からはみ出す長さに設定されているのが望ましい。  
このような原稿ホルダによれば、原稿ホルダを載置面に一度だけ乗せれば、再度の載せ替えをせずに、原稿からの画像の読み取りに用いる全ての光電変換素子に対してリニアリティ不良を判定可能となる。
【００３０】
かかる原稿ホルダであって、
前記載置面には、互いに係合し合う一対の係合部のうちのいずれか一方の係合部が形成されるとともに、前記原稿ホルダ本体にはもう一方の係合部が形成され、
これら係合部が互いに係合した状態において、前記原稿ホルダ本体が保持する前記原稿の位置は、前記光電変換素子によって前記原稿の画像を読み取れる位置に位置決めされるのが望ましい。  
このような原稿ホルダによれば、前記光電変換素子によって、前記原稿から画像を確実に読み取り可能となる。
【００３１】
また、載置面に載置された原稿を光源で照らした際に、受けた光によって光電変換素子が発生する電荷の量に基づいて前記原稿の画像を読み取る画像読み取り装置の原稿ホルダであって、
（Ａ）前記載置面における前記原稿の位置決めをすべく、前記原稿を保持した状態で前記載置面に載置される原稿ホルダ本体と、
（Ｂ）受けた光によって前記光電変換素子が発生する電荷の量に基づいて該光電変換素子が不良か否かを判定すべく、前記光源からの光を透過させて前記光電変換素子に受けさせるための所定の透過率のフィルタ部材と、
（Ｃ）を備えており、
前記フィルタ部材は、膜体であり、前記原稿は透過原稿であり、前記原稿から画像を読み取る際に、前記光電変換素子は、前記光源からの光を前記透過原稿に透過して受け、
前記光電変換素子は、所定方向に沿って並んで配置されており、前記光電変換素子が、前記所定方向と交差する方向に移動することにより、前記原稿からの画像の読み取り動作が行われ、電源投入時に前記光電変換素子は、前記所定方向に関する所定の待機ポジションに停止し、前記原稿ホルダ本体が前記載置面に載置された際に、前記原稿よりも前記待機ポジションに近い部分に前記フィルタ部材は設けられており、
前記フィルタ部材の前記所定方向の長さは、前記所定方向に関して前記原稿の画像からはみ出す長さに設定されており、
前記載置面には、互いに係合し合う一対の係合部のうちのいずれか一方の係合部が形成されるとともに、前記原稿ホルダ本体にはもう一方の係合部が形成され、これら係合部が互いに係合した状態において、前記原稿ホルダ本体が保持する前記原稿の位置は、前記光電変換素子によって前記原稿の画像を読み取れる位置に位置決めされることを特徴とする原稿ホルダ。  
このような原稿ホルダによれば、既述の全ての効果を奏するため、本発明の目的がより有効に達成される。
【００３２】
＝＝画像読み取り装置１の概要＝＝
本実施形態に係る画像読み取り装置１について、光電変換素子を有するイメージセンサを備えた複合装置１を例に説明する。この複合装置１は、原稿５から画像を読み取って画像データを生成するスキャナ機能と、ホストコンピュータ（不図示）から送られてきた印刷データに基づき印刷用紙等の各種媒体Ｓに印刷を施すプリンタ機能と、原稿５から読み取った画像を媒体Ｓに印刷して複写するローカルコピー機能とを備えている。
【００３３】
図１に複合装置１の外観斜視図を示す。この複合装置１は、その上部に、原稿５から画像を読み取るためのスキャナ部１０を備え、また、その下部には、印刷用紙等の媒体Ｓに印刷をするためのプリンタ部３０を備えている。なお、複合装置１の前面部には、操作パネル２が設けられている。
【００３４】
図２に、スキャナ部１０の概要を説明するための斜視図を示す。スキャナ部１０は、原稿５を載置するための原稿台１１と、この原稿台１１を上方から覆う原稿台カバー１２とを備えている。原稿台１１はガラス板を有し、このガラス板の上面が原稿５を載置する載置面１１ａとなる。原稿台カバー１２は、複合装置１の後端部に揺動可能に取付けられ、前記載置面１１ａを開閉する。
【００３５】
プリンタ部３０は、複合装置１の後部に給紙部４を、また、前部に排紙部３を有する。そして、給紙部４の給紙トレイ８にセットされた印刷用紙等の媒体Ｓに対して順次印刷し、印刷した媒体Ｓを排紙部３の排紙トレイ７へ排紙する。
【００３６】
＝＝スキャナ部１０およびプリンタ部３０の内部機構＝＝
図３はスキャナ部１０およびプリンタ部３０の内部機構の説明図である。図４は、スキャナ部１０が有するスキャナ用キャリッジ６０の分解斜視図である。
【００３７】
＜スキャナ部１０＞
スキャナ部１０は、図３の上部に示すように、原稿台１１の下側に、スキャナ用キャリッジ６０と、このスキャナ用キャリッジ６０を、原稿台１１の前記載置面１１ａに対して所定の間隔を保ちながら副走査方向に沿って平行に移動させる駆動機構６２と、このスキャナ用キャリッジ６０を支持しつつその移動を案内するガイドレール６４とを備えている。
【００３８】
スキャナ用キャリッジ６０には、写真や印刷物等の反射原稿５Ａから画像を読み取るための反射原稿用読み取り部７３Ａと、写真フィルム等の透過原稿５Ｂから画像を読み取るための透過原稿用読み取り部７３Ｂとが設けられている。
【００３９】
反射原稿用読み取り部７３Ａは、前記載置面１１ａに載置された反射原稿５Ａに対し光を照射する反射原稿用光源６６Ａと、反射原稿５Ａにて反射された反射光が入射するレンズ７０Ａと、このレンズ７０Ａを通じて前記反射光を受光するイメージセンサ７２Ａとを有している。反射原稿用光源６６Ａは、例えばＲＧＢの三色の発光ダイオード（以下、ＬＥＤと言う）である。そして、各色のＬＥＤが順番に切り替わりながら発光して、レッド（Ｒ）、グリーン（Ｇ）、及びブルー（Ｂ）の光が所定周期で順次発せられ、これによって、反射原稿５Ａからの反射光はＲＧＢの各色成分に色分解された状態で前記イメージセンサ７２Ａに入射する。
【００４０】
一方、透過原稿用読み取り部７３Ｂは、前記載置面１１ａに載置された透過原稿５Ｂを透過した透過光が入射するレンズ７０Ｂと、このレンズ７０Ｂを通じて前記透過光を受光するイメージセンサ７２Ｂとを有している。但し、この透過原稿用読み取り部７３Ｂの光源（以下、透過原稿用光源と言う）６６Ｂは、水銀ランプ等の白色光を発する白色光源であり、透過原稿５Ｂを透過した透過光は、ＲＧＢの各色成分に色分解されていない状態で前記イメージセンサ７２Ｂに入射する。また、この透過原稿用光源６６Ｂは、スキャナ用キャリッジ６０ではなく、原稿台カバー１２の裏面に収容されており、もって、この原稿台カバー１２が前記載置面１１ａを覆った状態において、透過原稿５Ｂに光を透過可能な状態になる。
【００４１】
イメージセンサ７２Ａ及びイメージセンサ７２Ｂは、いずれも、光信号を電気信号に変換するフォトダイオード等の複数の光電変換素子が、主走査方向（前記副走査方向と直交する方向）に沿って列状に配置されたリニアＣＣＤセンサにより構成されている。
【００４２】
但し、ここでは密着型イメージセンサ(ＣＩＳイメージセンサ：Contact Image Sensor)の構成を採用している関係上、図４に示すように、イメージセンサ７２Ａとイメージセンサ７２Ｂの主走査方向の幅寸法は互いに異なっており、それぞれの幅寸法Ｌａ、Ｌｂは、読み取るべき原稿のサイズに対応して設定されている。つまり、反射原稿用のイメージセンサ７２Ａの主走査方向の幅Ｌａは、反射原稿５Ａの最大想定幅よりも若干広めに設定される一方、透過原稿用のイメージセンサ７２Ｂの主走査方向の幅Ｌｂは、透過原稿５Ｂの最大想定幅よりも若干広めに設定されている。
【００４３】
また、これらイメージセンサ７２Ａとイメージセンサ７２Ｂとは、前述したような光源６６Ａ、６６Ｂの種類の相違に起因して、光電変換素子としてのフォトダイオードの種類も相違している。すなわち、イメージセンサ７２Ａの方は、反射原稿５Ａからの反射光を、ＬＥＤ光源側でＲＧＢの３色に色分解された状態で受光することから、受光変換素子としては、モノクロのフォトダイオードが使用されている。これに対して、イメージセンサ７２Ｂの方は、透過原稿５Ｂからの透過光を、ＲＧＢの各色成分に色分解されていない白色光の状態で受光する。このため、受光した透過光をイメージセンサ７２Ａ側でＲＧＢの各色成分に色分解しなければならず、受光変換素子としては、ＲＧＢの３色のカラーフィルタとフォトダイオードが使用されている。なお、これら光電変換素子ついては後述する。後述の記載ではカラーフィルタを略し、便宜上フォトダイオードが各色を受光するものとする。
【００４４】
図３に示すように、駆動機構６２は、スキャナ用キャリッジ６０に接続されたタイミングベルト７４と、このタイミングベルト７４が掛け渡された一対のプーリ７５、７６と、一方のプーリ７５を回転駆動する駆動モータ７７とを備えている。駆動モータ７７は、制御部５０からの制御信号によって駆動制御される。
【００４５】
＜プリンタ部３０＞
プリンタ部３０は、図３の下部に示すように、プリンタ用キャリッジ４１と、このプリンタ用キャリッジ４１に搭載されたヘッド２１と、プリンタ用キャリッジ４１を媒体Ｓに対して所定の間隔を保持しつつ相対的に平行に移動させる駆動機構２４と、媒体Ｓをプリンタ用キャリッジ４１の移動方向と直交する方向に沿って搬送する搬送機構３６とを備えている。
【００４６】
プリンタ用キャリッジ４１には、カートリッジ装着部が設けられ、このカートリッジ装着部には、黒（Ｋ）、シアン（Ｃ）、マゼンタ（Ｍ）、イエロ（Ｙ）等のインクが収容されたインクカートリッジ（不図示）が装着される。
【００４７】
ヘッド２１は、複数のノズルからなるノズル列をインク色毎に有する。そして、インクカートリッジから供給された各色のインクを前記ノズル列の各ノズルから媒体Ｓに向けて吐出して当該媒体Ｓ上にドットを形成し、媒体Ｓに画像を印刷する。
【００４８】
駆動機構２４は、プリンタ用キャリッジ４１に接続されたタイミングベルト４５と、このタイミングベルト４５に噛合されたプーリ４４と、このプーリ４４を回転駆動するキャリッジモータ４２と、プリンタ用キャリッジ４１の移動を案内するガイドレール４６と、プリンタ用キャリッジ４１の位置を検出するリニア式エンコーダとしてリニア式エンコーダ符号板５１およびこのリニア式エンコーダ符号板５１を読み取る検出部５２とを備えている。この駆動機構２４は、キャリッジモータ４２を駆動してプーリ４４を介してタイミングベルト４５を回転させる。これにより、プリンタ用キャリッジ４１は、媒体Ｓに対してガイドレール４６に沿って相対的に移動する。キャリッジモータ４２は、制御部５０からの制御信号により駆動制御される。
【００４９】
搬送機構３６は、プラテン１４と、搬送ローラ１７Ａと、当該搬送ローラ１７Ａを回転駆動する搬送モータ１５と、媒体Ｓが所定位置に到達したか否かを検出する紙検知センサ５３と、搬送ローラ１７Ａの回転量を検出するロータリ式エンコーダ５６とを備えている。プラテン１４は、ヘッド２１に対向して配置されている。搬送モータ１５が駆動すると、搬送ローラ１７Ａが回転して、媒体Ｓがプラテン１４上を搬送される。搬送モータ１５は、制御部５０からの制御信号により駆動制御される。
【００５０】
印刷時には、媒体Ｓが搬送ローラ１７Ａにより間欠的に所定の搬送量で搬送され、その間欠的な搬送の合間にプリンタ用キャリッジ４１が、搬送ローラ１７Ａによる搬送方向に対して交差する方向に沿って移動しながら、ヘッド２１のノズルから媒体Ｓに向けてインクが吐出されて印刷が施される。
【００５１】
＝＝操作パネル２＝＝
図５は、複合装置１の操作パネル２の説明図である。この操作パネル２は、文字や画像を表示するための液晶ディスプレイ８０を備えている。そして、液晶ディスプレイ８０の左側には、電源ボタン８２と、各種設定ボタン８３と、モードボタン８４、８５、８６と、原稿種類選択ボタン８７Ａ、８７Ｂとが設けられている。
【００５２】
電源ボタン８２は、複合装置１の電源を投入／解除するためのオン／オフスイッチである。各種設定ボタン８３は、複合装置１の各種設定を行うための画面を液晶ディスプレイ８０に表示するためのボタンである。モードボタン８４、８５、８６は、それぞれ複合装置１のモードを設定するためのボタンであり、ここでは、コピーモードボタン８４と、印刷モードボタン８５と、スキャンモードボタン８６とが設けられている。原稿種類選択ボタン８７Ａ、８７Ｂは、画像を読み取る原稿５の種類を選択するためのボタンであり、ここでは、反射原稿ボタン８７Ａと透過原稿ボタン８７Ｂとが設けられている。
【００５３】
液晶ディスプレイ８０の右側には、ＯＫボタン８９Ａと、キャンセルボタン８９Ｂと、スタートボタン（カラー）８９Ｄと、スタートボタン（モノクロ）８９Ｅと、ストップボタン８９Ｆと、十字ボタン８９Ｇと、メニューボタン８９Ｈとが設けられている
ＯＫボタン８９Ａが押されると、液晶ディスプレイ８０の表示内容で設定条件が決定される。キャンセルボタン８９Ｂが押されると設定条件がクリアされ、各設定項目がデフォルト値に変更される。スタートボタン（カラー）８９Ｄは、前記モードボタン８４、８５、８６で選択されたモードの処理を、カラーで実行するためのボタンであり、他方、スタートボタン（モノクロ）８９Ｅは、前記モードボタン８４、８５、８６で選択されたモードの処理を、モノクロで実行するためのボタンである。ストップボタン８９Ｆは、一旦開始した処理を中止させるためのボタンである。十字ボタン８９Ｇは、その上下左右の４箇所を選択的に押すことが可能である。メニューボタン８９Ｈは、液晶ディスプレイ８０に表示される設定項目を切り替える。
【００５４】
＝＝制御部５０の構成＝＝
図６は、本実施形態に係る複合装置１の制御部５０のシステム構成を示すブロック図である。  
複合装置１の制御部５０は、複合装置１全体の制御を司るＣＰＵ９０と、制御のためのプログラム等を記憶したメモリ９２と、スキャナ機能、プリント機能、ローカルコピー機能の各制御を司る制御ＡＳＩＣ９４と、ＣＰＵ９０から直接データを読み書き可能なＳＤＲＡＭ９６と、入力手段としての操作パネル２とを有し、これらはＣＰＵバス９８により接続されている。制御ＡＳＩＣ９４には、ＡＳＩＣ用ＳＤＲＡＭ１０２が設けられている。
【００５５】
制御ＡＳＩＣ９４は、スキャナコントロールユニット１０４と、リサイズユニット１０６と、２値化処理ユニット１０８と、インターレース処理ユニット１１０と、イメージバッファユニット１１２と、ＣＰＵインターフェイスユニット１１４と、ヘッドコントロールユニット１１６と、外部のホストコンピュータ１４０との入出力手段としてのＵＳＢインターフェイス１１８と、ローカルバス１２８とを備えている。  
ＡＳＩＣ用ＳＤＲＡＭ１０２には、ラインバッファ１２０、リサイズバッファ１２２、インターレースバッファ１２４、イメージバッファ１２６、１２７がそれぞれ割り当てられて設けられている。
【００５６】
スキャナコントロールユニット１０４は、スキャナ部１０が備える光源６６Ａ、６６Ｂ、イメージセンサ７２Ａ、７２Ｂ、スキャナ用キャリッジ６０の駆動モータ７７等を制御する。スキャナコントロールユニット１０４は、イメージセンサ７２Ａ、７２Ｂを介して読み込んだ画像データを送出する。
【００５７】
リサイズユニット１０６は、所定のサイズの画像データを受け取り、その画像データのサイズを変更し、サイズ変更された画像データを送出する。２値化処理ユニット１０８は、送出された多階調のＲＧＢデータをＣＭＹＫの２値データ（又は２ビットデータ）に変換して、インターレース処理ユニット１１０に送出する。
【００５８】
インターレース処理ユニット１１０は、２値化処理ユニットから送られてきたＣＭＹＫの２値データ（又は２ビットデータ）を、ＡＳＩＣ側ＳＤＲＡＭ１０２のインターレースバッファ１２４に格納する。そして、インターレース処理ユニット１１０は、インターレースバッファ１２４に格納されたＣＭＹＫの２値データ（又は２ビットデータ）を所定のサイズ毎に読み出して、ノズル配列に対応させるべく並び替えてイメージバッファユニット１１２に送出する。
【００５９】
イメージバッファユニット１１２では、インターレース処理ユニット１１０から送出されたデータから、プリンタ用のキャリッジ４１の移動毎の各ノズルにインクを吐出させるためのヘッド駆動データを生成する。ここでイメージバッファユニット１１２は、ＳＤＲＡＭ１０２上に設けられたイメージバッファ１２６、１２７にヘッド駆動データを格納する。イメージバッファ１２６、１２７には、それぞれプリンタ用のキャリッジ４１が１回移動する毎のヘッド駆動データが格納される。
【００６０】
ＣＰＵインターフェイスユニット１１４は、制御ＡＳＩＣ９４に接続されたＡＳＩＣ用ＳＤＲＡＭ１０２へのＣＰＵ９０からのアクセスを可能にしている。ここでは、ＣＰＵインターフェイスユニット１１４を介して、イメージバッファユニット１１２により生成されたヘッド駆動データがイメージバッファ１２６、１２７からヘッドコントロールユニット１１６へと送出される。  
ヘッドコントロールユニット１１６は、ＣＰＵ９０により送られてきたヘッド駆動データに基づきヘッド２１を駆動して、ヘッド２１の各ノズルからインクを吐出させる。
【００６１】
＝＝制御部５０内のデータの流れ＝＝
＜スキャナ機能時について＞
制御ＡＳＩＣ９４のＵＳＢインターフェイス１１８に接続されたホストコンピュータ１４０から、スキャナ部１０による画像読み取り指令信号と、読み取り解像度、読み取り領域等の読み取り情報データとが制御部５０に送信される。制御部５０では、画像読み取り指令信号と読み取り情報データとに基づいて、スキャナコントロールユニット１０４が制御され、スキャナ部１０による原稿５の読み取りが開始される。このとき、スキャナコントロールユニット１０４は、光源６６Ａ、６６Ｂやイメージセンサ７２Ａ、７２Ｂ、駆動機構６２を駆動してイメージセンサ７２Ａ、７２Ｂから順次画像データとして読み込んでＡＳＩＣ用ＳＤＲＡＭ１０２のラインバッファ１２０に一旦格納する。そして、スキャナコントロールユニット１０４は、ラインバッファ１２０に格納した画像データに対してライン間補正処理等を施して、ＵＳＢインターフェイス１１８を介してホストコンピュータ１４０に出力する。
【００６２】
＜プリンタ機能時について＞
プリンタ機能時には、ホストコンピュータ１４０のプリンタドライバが画像データをヘッド駆動データに変換し、ヘッド駆動データがＵＳＢインターフェイス１１８から入力される。ヘッド駆動データは、ＣＰＵバス９８に接続されたＳＤＲＡＭ９６に割り付けられたイメージバッファ１３２に記憶される。イメージバッファ１３２は、２つに分けられたメモリ領域（イメージバッファ１３３、１３４）を備えている。各イメージバッファ１３３、１３４は、プリンタ用キャリッジ４１の１回の移動により印刷するためのヘッド駆動データを記憶することができる容量を有する。そして、一方のイメージバッファ１３３に１回の移動分のデータが書き込まれると、ヘッドコントロールユニット１１６に転送される。このとき、一方のイメージバッファ１３３のヘッド駆動データがヘッドコントロールユニット１１６に転送されると、他方のイメージバッファ１３４には次の移動の際に印刷するためのヘッド駆動データが記憶される。そして他方のイメージバッファ１３４に１回の移動分のデータが書き込まれると、ヘッドコントロールユニット１１６に転送され、前記一方のイメージバッファ１３３にイメージデータが書き込まれる。このように、２つのイメージバッファ１３３、１３４を用いて、ヘッド駆動データの書き込み、読み出しを交互に行いながらヘッドコントロールユニット１１６によりヘッド２１が駆動されて印刷が実行される。
【００６３】
＜コピー機能時について＞
次に、コピー機能時におけるデータの流れを説明する。スキャナ部１０により読み取られたデータは、スキャナコントロールユニット１０４を介してラインバッファ１２０に取り込まれる。ラインバッファ１２０に取り込まれた画像データは、ライン間補正処理が順次施された後、スキャナコントロールユニット１０４から２値化処理ユニット１０８へと送出される。
【００６４】
２値化処理ユニット１０８に送り込まれた画像データは、ＡＳＩＣ用ＳＤＲＡＭ１０２内に格納されているルックアップテーブル１３６に基づき、ＲＧＢからＣＭＹＫへと色変換される。そして、ハーフトーン処理によってＣＭＹＫの色毎の２値データに変換されて、インターレース処理ユニット１１０に送り込まれる。
【００６５】
インターレース処理ユニット１１０に送り込まれたＣＭＹＫの２値データは、ＡＳＩＣ側ＳＤＲＡＭ１０２のインターレースバッファ１２４に格納されて、インターレース処理ユニット１１０により、ノズル配列に対応させるべく並び替えられる。そして、インターレース処理ユニット１１０によって並び替えられたデータは、イメージバッファユニット１１２へと送られる。
【００６６】
イメージバッファユニット１１２では、インターレース処理ユニット１１０から送られてきたデータを、プリンタ用のキャリッジ４１の移動毎の各ノズルにインクを吐出させるためのヘッド駆動データとなるように整列させてイメージバッファ１２６，１２７に記憶する。
【００６７】
イメージバッファ１２６、１２７に記憶された移動毎のヘッド駆動データは、ＣＰＵインターフェイスユニット１１４を介してＣＰＵ９０により読み出されてヘッドコントロールユニット１１６に転送される。ヘッドコントロールユニット１１６は、転送されてきたヘッド駆動データに基づいてヘッド２１を駆動して印刷を実行する。
【００６８】
＝＝原稿５からの画像の読み取りについて＝＝
＜反射原稿５Ａからの画像の読み取り＞
反射原稿５Ａから画像を読み取る場合には、図２に示すように、先ず、原稿台カバー１２を開き、原稿台１１の載置面１１ａに原稿５Ａを載せ、原稿台カバー１２を閉じる。そして、操作パネル２のスキャンモードボタン８６等を操作した後スタートボタン（カラー）８９Ｄ等を押せば、画像の読み取り動作が開始される。
【００６９】
図７は、反射原稿５Ａからの画像の読み取り動作についての説明図である。画像の読み取り時には、スキャナ用キャリッジ６０が副走査方向の下流へと所定速度で移動する。この移動中に、スキャナ用キャリッジ６０の３色のＬＥＤ光源６６Ａから順次光が発せられ、これら光は、載置面１１ａの反射原稿５Ａに反射された後、スキャナ用キャリッジ６０のレンズ７０Ａを介してイメージセンサ７２Ａに入射する。そして、イメージセンサ７２Ａは、これら入射した光を受光することで、載置面１１ａ上の反射原稿５Ａから画像を読み取る。
【００７０】
＜透過原稿５Ｂからの画像の読み取り＞
透過原稿５Ｂから画像を読み取る場合には、図８に示すように、先ず、原稿台カバー１２の裏面に装着された反射板１３を、同図の矢印Ｃに沿ってスライド移動させて、原稿台カバー１２から取り外す。すると、原稿台カバー１２の裏側に収容された透過原稿用光源６６Ｂが露呈し、この光源６６Ｂを使用可能な状態となる。
【００７１】
次に、透過原稿５Ｂを原稿台１１の載置面１１ａに載置するが、その際には、図８に示す載置面１１ａ上に設定された読み取り領域（イメージセンサ７２Ｂが画像を読み取り可能な領域）ＲＲＢに透過原稿５Ｂを正しく位置決めすべく、当該透過原稿５Ｂを、図９に示すような専用の透過原稿ホルダ５００に保持させて、この透過原稿ホルダ５００ごと載置面１１ａ上に載置する。なお、前記読み取り領域ＲＲＢは、前述したイメージセンサ７２Ｂの主走査方向の幅Ｌｂに対応して、載置面１１ａの中央部に幅Ｌｂで設定されている。
【００７２】
そして、原稿台カバー１２を閉じた後、操作パネル２のスキャンモードボタン８６等を操作しスタートボタン（カラー）８９Ｄを押せば、画像の読み取り動作が開始される。
【００７３】
図１０は、透過原稿５Ｂからの画像の読み取り動作についての説明図である。原稿台カバー１２が閉じられると、同図に示すように、原稿台カバー１２内の透過原稿用光源６６Ｂが載置面１１ａ上の透過原稿５Ｂに対面する。そして、画像の読み取り時には、スキャナ用キャリッジ６０が副走査方向の下流へと所定速度で移動する。この移動中に、透過原稿用光源６６Ｂから光が発せられ、この光は、載置面１１ａ上の透過原稿５Ｂを下方に透過し、スキャナ用キャリッジ６０のレンズ７０Ｂを介してイメージセンサ７２Ｂに入射する。そして、イメージセンサ７２Ｂは、入射した光を受光することで、載置面１１ａ上に載置された透過原稿５Ｂから画像を読み取る。
【００７４】
＜透過原稿ホルダ５００＞
図１１Ａ及び図１１Ｂに、透過原稿ホルダ５００の説明図を示す。図１１Ａは透過原稿ホルダ５００の斜視図である。また、図１１Ｂは透過原稿ホルダ５００の平面図であって、原稿台１１の載置面１１ａに載置された状態を示している。  
図１１Ｂに示すように、透過原稿ホルダ５００は、例えば３５ｍｍ写真フィルムやスライド写真（不図示）等の透過原稿５Ｂを保持し、当該保持した透過原稿５Ｂを、載置面１１ａにおける前記読み取り領域ＲＲＢに正確に位置決めするためのものである。  
図１１Ａに示すように、この透過原稿ホルダ５００は、載置面１１ａに載置された状態において副走査方向に長い略長方形外形の板材からなるベースプレート（原稿ホルダ本体に相当）５０２と、このベースプレート５０２との間で前記写真フィルム５Ｂを挟んで保持するカバープレート５０４とを備えている。
【００７５】
ベースプレート５０２には、前記写真フィルム５Ｂを保持するためのフィルムマウントとして、副走査方向に長尺な矩形開口部（以下、写真フィルム用開口部と言う）５０６が形成されており、また、その写真フィルム用開口部５０６の主走査方向の隣の部分には、スライド写真を保持するためのスライドマウントとして複数の矩形開口（以下、スライド用開口部と言う）５０８が形成されている。  
また、カバープレート５０４は、前記写真フィルム用開口部５０６よりも若干大きい略矩形外形の枠体であり、前記写真フィルム用開口部５０６の副走査方向の一端に設けられたヒンジ部５１０によって、当該フィルム用開口部５０６に対して開閉自在になっている。
【００７６】
そして、前記フィルム用開口部５０６の周囲部分５０６ａに写真フィルム５Ｂの縁部を載せた状態で、前記カバープレート５０４を閉じれば、写真フィルム５Ｂは前記周囲部分５０６ａとの間で挟み込まれて保持される。なお、このカバープレート５０４は前述したような枠体であり、すなわち、図１１Ｂに示すように、写真フィルム５Ｂの画像５Ｉに対応する部分が開口している。よって、この保持状態においても透過原稿用光源６６Ｂの光をカバープレート５０４で遮ることなく、写真フィルム５Ｂに透過させることができる。  
一方、スライド写真は、前記スライド用開口部５０８にスライド写真を嵌め込むことによって保持される。
【００７７】
このような透過原稿ホルダ５００を原稿台１１の載置面１１ａに載置する際には、図１１Ｂに示すようにベースプレート５０２に形成された凸部（係合部に相当）５０２ｂを、前記載置面１１ａの周囲部分に形成された凹部（係合部に相当）１１ｂに係合させる。そうすれば、透過原稿５Ｂは、前記読み取り領域ＲＲＢに位置決めされる。  
但し、この読み取り領域ＲＲＢは、図８に示すように、主走査方向の中央部に位置し、副走査方向に限られた幅Ｌｂで設定されており、写真フィルム５Ｂとスライド写真とを同時に読み取れる程に大きくはなく、いずれか一方のみを読み取り可能な大きさである。よって、スライド写真の画像を読み取る際には、図１１Ｂに示す写真フィルム５Ｂを読み取る状態から、透過原稿ホルダ５００を左右反転させて載置面１１ａ上に載置させることになる。
【００７８】
ところで、図１１Ｂのように透過原稿ホルダ５００を載置面１１ａに載置した状態において、そのベースプレート５０２に保持された透過原稿５Ｂよりも、スキャナ用キャリッジ６０の待機ポジションＨＰ寄りの部分には、ベースプレート５０２を上下に貫通する２つの矩形スリット５１２、５１４が副走査方向に並んで設けられている。
【００７９】
このうちの待機ポジションＨＰに近い方のスリット５１２は、透過原稿５Ｂからの画像の読み取り動作の際に行われる「透過原稿用光源６６Ｂの点灯・暖機ステップ（Ｓ３５０）」（図２４を参照）で使用される。すなわち、透過原稿用光源６６Ｂの点灯時に、その光をイメージセンサ７２Ｂへと導いて当該イメージセンサ７２Ｂに前記光源６６Ｂの点灯状態をチェックさせるための点灯チェック用スリット５１２である（図２４及び図２５Ｂを参照）。
【００８０】
もう一方のスリット５１４は、同じく読み取り動作の際に行われる「リニアリティ不良のフォトダイオードの検出ステップ（Ｓ３７０）」で使用される。すなわち、透過原稿用光源６６Ｂの光をイメージセンサ７２Ｂへと導いて、このイメージセンサ７２Ｂの各フォトダイオードがその受光によって出力する出力値に基づいて各フォトダイオードがリニアリティ不良であるか否かを判定するためのスリット５１４である（図２４及び図２５Ｃを参照）。
【００８１】
なお、このスリット５１４の全面は、前記リニアリティ不良の検出感度の向上を目的として（詳細には後述する）、透過率１〜５％の膜体（以下、リニアリティ不良検出用膜体とも言う）６１０で覆われており、よって、リニアリティ不良の検出の際には、前記膜体６１０によって前記透過原稿用光源６６Ｂの光量を１〜５％までに減らしてイメージセンサ７２Ｂに入射させるようにしている。
【００８２】
また、このスリット５１４の主走査方向の幅Ｗは、写真フィルムの画像５Ｉからはみ出す大きさに設定されている。よって、透過原稿ホルダ５００を載置面１１ａに一度乗せれば、再度の載せ替えをせずに、その直後に行われる画像５Ｉの読み取り動作に用いるイメージセンサ７２Ｂが具備する全てのフォトダイオードに対してリニアリティ不良の判定を行えるようになっている。
【００８３】
このようなスリット５１２、５１４は、透過原稿５Ｂの種類に対応させて設けられており、この例の透過原稿ホルダ５００では、透過原稿５Ｂとしてスライド写真（不図示）も保持する関係上、前記スライド写真用開口部５０８の副走査方向の横にも設けられている。そして、スライド写真から画像を読み取る際には、透過原稿ホルダ５００を図１１Ｂの状態から水平反転するが、この水平反転した状態においては、図１１Ｃに示すように、これらスリット５１２、５１４は、スライド写真（不図示）よりも待機ポジションＨＰに近い位置に位置することになる。
【００８４】
＝＝スキャナコントロールユニット１０４＝＝
図１２は、スキャナコントロールユニット１０４の構成の説明図である。スキャナコントロールユニット（読み取りデータ生成部に相当）１０４は、同図に示すように、スキャナコントローラ２０２と、モータ制御部２０４と、光源制御部２０６と、センサ制御部２０８と、ＡＦＥ（Analog Front End）部２１０と、デジタル処理回路２１６と、データ出力回路２１８とを備えている。さらに、ＡＦＥ部２１０は、アナログ信号処理回路２１２と、Ａ／Ｄ変換回路２１４とを備えている。
【００８５】
スキャナコントローラ２０２は、ＣＰＵ９０（図６を参照）等からの命令により、モータ制御部２０４、光源制御部２０６、センサ制御部２０８、ＡＦＥ部２１０、デジタル処理回路２１６、及び、データ出力回路２１８を制御する。モータ制御部２０４は、スキャナコントローラ２０２からの命令により、スキャナ用キャリッジ６０を移動させるための駆動モータ７７の駆動制御を行う。光源制御部２０６は、反射原稿用光源６６Ａ又は透過原稿用光源６６Ｂの発光を制御する。センサ制御部２０８は、イメージセンサ７２Ａ又はイメージセンサ７２Ｂの制御を行う。
【００８６】
ＡＦＥ部２１０のアナログ信号処理回路２１２は、イメージセンサ７２Ａ、７２Ｂによって読み取られた画像のアナログ電圧信号に対して信号処理を行う。また、ＡＦＥ部２１０のＡ／Ｄ変換回路２１４は、アナログ信号処理回路２１２により信号処理された画像のアナログ電圧信号をデジタルデータへとＡ／Ｄ変換する。
【００８７】
デジタル信号処理回路２１６は、ＡＦＥ部２１０のＡ／Ｄ変換回路２１４から送られてきたデジタルデータに対してデジタル信号処理を施すものであり、例えば、シェーディング補正部２１７等を有している。
【００８８】
このシェーディング補正部２１７は、イメージセンサ７２Ａ、７２Ｂに係るフォトダイオード毎の出力のばらつきを補正する。すなわち、画像の読み取り動作の際になされる「シェーディング補正用基準データ取得ステップ」（図２４を参照）によってフォトダイオード毎に得られる白基準データ及び黒基準データに基づき、前記デジタルデータを補正する。より詳細に言えば、シェーディング補正部２１７に入力される各デジタルデータは、各黒基準データ分だけ減算補正されるとともに、減算補正後のデジタルデータを白基準データと黒基準データに基づいて求まるゲイン値によって乗算補正される。なお、ここで、白基準データとは、所定の白基準を読み取ることで得られるＡＤ変換後のデジタルデータのことであり、他方、黒基準データとは、所定の黒基準を読み取ることで得られるＡＤ変換後のデジタルデータのことである。
【００８９】
そして、このシェーディング補正部２１７から出力されたデジタルデータは、デジタル信号処理回路２１６が備えるその他の処理部を経て、例えば２５６段階の階調値からなる階調値データ（読み取りデータに相当）に変換され、原稿５から読み取られた画像データとしてデータ出力回路２１８により外部へと出力される。ここでは、データ出力回路２１８により出力された画像データは、ＵＳＢインターフェイス１１８を通じてホストコンピュータ１４０に出力されたり、リサイズユニット１０６へと送られたりする（図６を参照）。
【００９０】
＝＝イメージセンサ７２Ａ及びイメージセンサ７２Ｂの受光変換素子について＝＝
図１３Ａ及び図１３Ｂは、それぞれ、イメージセンサ７２Ａ及びイメージセンサ７２Ｂに設けられた光電変換素子についての説明図である。なお、ここでは、構造が複雑なイメージセンサ７２Ｂの方から説明し、その後でイメージセンサ７２Ａについて説明する。
【００９１】
＜透過原稿用のイメージセンサ７２Ｂの受光変換素子＞
（１）概略説明
前述したように、透過原稿用光源６６Ｂは白色光を発することから、イメージセンサ７２Ｂ側で、透過原稿５Ａを透過した光をＲＧＢの各色成分に色分解する。このため、イメージセンサ７２Ｂは、図１３Ａに示すように、光電変換素子として３色のフォトダイオード３０２Ｒ、３０２Ｂ、３０２Ｇを有している。すなわち、レッド（Ｒ）の光を受けるためのフォトダイオード３０２Ｒと、ブルー（Ｂ）の光を受けるためのフォトダイオード３０２Ｂと、グリーン（Ｇ）の光を受けるためのフォトダイオード３０２Ｇとを有している。
【００９２】
これら３色のフォトダイオード３０２Ｒ、３０２Ｂ、３０２Ｇは、副走査方向に沿って１列に並んで配置されており、これら１列に並ぶ３色のフォトダイオード３０２Ｒ、３０２Ｂ、３０２Ｇを１つの組として、この組単位で、画像の最小単位である１画素に対応するＲＧＢの階調値データを生成する。そして、この３色のフォトダイオード３０２Ｒ、３０２Ｂ、３０２Ｇの組は、イメージセンサ７２Ｂの長手方向たる主走査方向に沿って一列に並んで複数組が配列されており、これによって、イメージセンサ７２Ｂが構成されている。
【００９３】
このイメージセンサ７２Ｂには、これら３色のフォトダイオード３０２Ｒ、３０２Ｂ、３０２Ｇにて発生した電荷を取り出すためのレジスタ３０４と、電荷転送部（ＣＣＤ：charge-coupled device）３０６とが設けられている。レジスタ３０４は、３色のフォトダイオード３０２Ｒ、３０２Ｂ、３０２Ｇにて発生した電荷を電荷転送部３０６に送るために、前述の組毎に設けられ、その組に属するＲＧＢの３色のフォトダイオード３０２Ｒ、３０２Ｂ、３０２Ｇに亘って共通に使用される。
【００９４】
各フォトダイオード３０２Ｒ、３０２Ｂ、３０２Ｇと、レジスタ３０４との間には、第１ゲート３０８Ｒ、３０８Ｂ、３０８Ｇが設けられている。各フォトダイオード３０２Ｒ、３０２Ｂ、３０２Ｇから電荷を取り出すときには、各々対応する第１ゲート３０８Ｒ、３０８Ｂ、３０８Ｇが開放される。また、レジスタ３０４と電荷転送部３０６との間には、第２ゲート３１０が設けられている。レジスタ３０４から電荷転送部３０６へと電荷が送られるときには、第２ゲート３１０が開放される。
【００９５】
３色のフォトダイオード３０２Ｒ、３０２Ｂ、３０２Ｇにて発生した電荷は、この共通のレジスタ３０４を通じて電荷転送部３０６に移動する。電荷転送部３０６は、レジスタ３０４を通じて３色のフォトダイオード３０２Ｒ、３０２Ｂ、３０２Ｇから移動してきた電荷を一時的に蓄積する。電荷転送部３０６は、一時的に蓄積した電荷を順次検出部３１２に転送する。検出部３１２は、電荷転送部３０６により転送されてきた電荷の電荷量を逐次検出する。そして、検出部３１２は、検出した電荷量に対応するアナログ電圧信号をスキャナコントロールユニット１０４のＡＦＥ部２１０（図１２を参照）に向けて出力する。
【００９６】
（２）電荷の移動順序
図１４Ａ乃至図１４Ｃは、レッド（Ｒ）、ブルー（Ｂ）、グリーン（Ｇ）のフォトダイオード３０２Ｒ、３０２Ｂ、３０２Ｇにて発生した電荷が移動する順序についての説明図である。図１３Ａには、レッド（Ｒ）のフォトダイオード３０２Ｒにて発生した電荷の移動の様子を示し、同様に、図１３Ｂ及び図１３Ｃには、それぞれ、ブルー（Ｂ）のフォトダイオード３０２Ｂ及びグリーン（Ｇ）のフォトダイオード３０２Ｇにて発生した電荷の移動の様子を示している。
【００９７】
ここでは、まず、図１４Ａに示すように、レッド（Ｒ）のフォトダイオード３０２Ｒにて発生した電荷を電荷転送部３０６に移動させる。レッド（Ｒ）のフォトダイオード３０２Ｒにて発生した電荷を電荷転送部３０６に移動させるために、レッド（Ｒ）のフォトダイオード３０２Ｒに対応する第１ゲート３０８Ｒと、第２ゲート３１０とが開放される（図中グレーで示した部分）。なお、このとき、ブルー（Ｂ）のフォトダイオード３０２Ｂおよびグリーン（Ｇ）のフォトダイオード３０２Ｇに対応する第１ゲート３０８Ｂ、３０８Ｇは閉じている。これにより、レッド（Ｒ）のフォトダイオード３０２Ｒにて発生した電荷が電荷転送部３０６に移動する。
【００９８】
次に、図１４Ｂに示すように、ブルー（Ｂ）のフォトダイオード３０２Ｂにて発生した電荷を電荷転送部３０６に移動させる。ブルー（Ｂ）のフォトダイオード３０２Ｂにて発生した電荷を電荷転送部３０６に移動させるために、ブルー（Ｂ）のフォトダイオード３０２Ｂに対応する第１ゲート３０８Ｂと、第２ゲート３１０とが開放される（図中グレーで示した部分）。なお、このとき、レッド（Ｒ）のフォトダイオード３０２Ｒおよびグリーン（Ｇ）のフォトダイオード３０２Ｇに対応する第１ゲート３０８Ｒ、３０８Ｇは閉じている。このように第１ゲート３０８Ｂおよび第２ゲート３１０が開放されることで、ブルー（Ｂ）のフォトダイオード３０２Ｂにて発生した電荷が電荷転送部３０６に移動する。
【００９９】
そして、最後に、図１４Ｃに示すように、グリーン（Ｇ）のフォトダイオード３０２Ｇにて発生した電荷を電荷転送部３０６に移動させる。グリーン（Ｇ）のフォトダイオード３０２Ｇにて発生した電荷を電荷転送部３０６に移動させるために、グリーン（Ｇ）のフォトダイオード３０２Ｇに対応する第１ゲート３０８Ｇと、第２ゲート３１０とが開放される（図中グレーで示した部分）。なお、このとき、レッド（Ｒ）のフォトダイオード３０２Ｒおよびブルー（Ｂ）のフォトダイオード３０２Ｂに対応する第１ゲート３０８Ｒ、３０８Ｂは閉じている。このように第１ゲート３０８Ｇおよび第２ゲート３１０が開放されることで、グリーン（Ｇ）のフォトダイオード３０２Ｇにて発生した電荷が電荷転送部３０６に移動する。
【０１００】
（３）電荷の移動方法
次に、各フォトダイオード３０２Ｒ、３０２Ｂ、３０２Ｇにて発生した電荷を電荷転送部３０６まで移動する方法について説明する。ここでは、レッド（Ｒ）のフォトダイオード３０２Ｒにて発生した電荷を電荷転送部３０６に移動させる場合を例に説明する。
【０１０１】
図１５Ａ乃至図１５Ｄは、レッド（Ｒ）のフォトダイオード３０２Ｒにて発生した電荷の移動方法を概略的に説明するための断面図である。図１５Ａは、フォトダイオード３０２Ｒにて電荷が発生したときの様子を示す図である。図１５Ｂは、フォトダイオード３０２Ｒにて発生した電荷が電荷転送部３０６に移動したときの様子を示す図である。図１５Ｃおよび図１５Ｄは、フォトダイオード３０２Ｒにて発生した電荷が電荷転送部３０６に移動した後の様子を示す図である。
【０１０２】
フォトダイオード３０２Ｒ、第１ゲート３０８Ｒ、レジスタ３０４、第２ゲート３１０および電荷転送部３０６は、図１５Ａに示すように、半導体基板３１４上に形成される。
【０１０３】
フォトダイオード３０２Ｒは、同図に示すように、半導体基板３１４上にｐｎ接合により形成される。そして、このフォトダイオード３０２Ｒに外部から光が当たると、その受けた光の量に応じて、ｐｎ接合により形成されたポテンシャル井戸３２０に電荷が発生して蓄積される。
【０１０４】
第１ゲート３０８Ｒ、レジスタ３０４、第２ゲート３１０および電荷転送部３０６は、半導体基板３１４上に設けられた各電極部３１６Ａ、３１６Ｂ、３１６Ｃ、３１６Ｄによって形成される。すなわち、各電極部３１６Ａ、３１６Ｂ、３１６Ｃ、３１６Ｄは、それぞれ第１ゲート３０８Ｒ、レジスタ３０４、第２ゲート３１０および電荷転送部３０６の位置に各々対応して形成されている。各電極部３１６Ａ、３１６Ｂ、３１６Ｃ、３１６Ｄにそれぞれ電圧が印加されることで、各電極部３１６Ａ、３１６Ｂ、３１６Ｃ、３１６Ｄの下側の半導体基板３１４内に空乏層が形成される。そして、この空乏層によって、同図に示すように、それぞれポテンシャル井戸３２２、３２４、３２６、３２８が形成され、これらポテンシャル井戸３２２、３２４、３２６、３２８がそれぞれ第１ゲート３０８Ｒ、レジスタ３０４、第２ゲート３１０および電荷転送部３０６となる。
【０１０５】
フォトダイオード３０２Ｒのポテンシャル井戸３２０に蓄積した電荷を電荷転送部３０６に移動させる場合には、各電極部３１６Ａ、３１６Ｂ、３１６Ｃ、３１６Ｄに高電圧を印加して、図１５Ｂに示すように、第１ゲート３０８Ｒ、レジスタ３０４、第２ゲート３１０および電荷転送部３０６の各ポテンシャル井戸３２２、３２４、３２６、３２８の電位を高くする。これにより、第１ゲート３０８Ｒおよび第２ゲート３１０が開放される。ここで、第１ゲート３０８Ｒ、レジスタ３０４、第２ゲート３１０および電荷転送部３０６の各ポテンシャル井戸３２２、３２４、３２６、３２８の電位については、第１ゲート３０８Ｒから電荷転送部３０６にかけて順次高くなるように設定される。すなわち、レジスタ３０４のポテンシャル井戸３２４は、第１ゲート３０８Ｒのポテンシャル井戸３２２よりも高電位に設定され、第２ゲート３１０のポテンシャル井戸３２６は、レジスタ３０４のポテンシャル井戸３２４よりも高電位に設定され、電荷転送部３０６のポテンシャル井戸３２８は、第２ゲート３１０のポテンシャル井戸３２６よりも高電位に設定される。各電極部３１６Ａ、３１６Ｂ、３１６Ｃ、３１６Ｄに対する高電圧の印加は、所定時間行われる。この間に、フォトダイオード３０２Ｒのポテンシャル井戸３２０に蓄積されていた電荷は、フォトダイオード３０２Ｒから第１ゲート３０８Ｒ、レジスタ３０４および第２ゲート３１０を経由して、電荷転送部３０６へと移動する。
【０１０６】
このようにしてフォトダイオード３０２Ｒの電荷が電荷転送部３０６に移動したら、次に、図１５Ｃに示すように、開放された第１ゲート３０８Ｒを閉じる。ここでは、第１ゲート３０８Ｒに対応する電極部３１６Ａに低電圧を印加して、第１ゲート３０８Ｒのポテンシャル井戸３２２の電位を下げ、これによって第１ゲート３０８Ｒを閉じる。また、ここでは、レジスタ３０４に対応する電極部３１６Ｂに対しても低電圧を印加して、レジスタ３０４のポテンシャル井戸３２４の電位を下げる。
【０１０７】
その後、図１５Ｄに示すように、第２ゲート３１０に対応する電極部３１６Ｃに低電圧を印加して、第２ゲート３１０のポテンシャル井戸３２６の電位を下げて、第２ゲート３１０を閉じる。また、電荷転送部３０６に対応する電極部３１６Ｄに対しても低電圧を印加して、電荷転送部３０６のポテンシャル井戸３２８の電位を下げる。
【０１０８】
これにより、フォトダイオード３０２Ｒにて発生した電荷を電荷転送部３０６へと移動させる処理が完了する。電荷転送部３０６へと移動した電荷は、検出部３１２に転送される。そして、検出部３１２によりその電荷量が検出される。
【０１０９】
＜反射原稿用のイメージセンサ７２Ａの受光変換素子＞
図１３Ｂに、反射原稿用のイメージセンサ７２Ａの光電変換素子の説明図を示す。前述したように、反射原稿用光源６６ＡはＲＧＢの３色のＬＥＤである。このため、ＬＥＤの光源６６Ａ側でＲＧＢの３色に色分解されており、反射原稿５Ｂからの反射光も３色に色分解された状態でイメージセンサ７２Ａに到達する。よって、イメージセンサ７２Ａの受光変換素子としては、図１３Ｂに示すように、モノクロのフォトダイオード３０２Ｍが使用されている。
【０１１０】
つまり、イメージセンサ７２Ａは、光電変換素子としてＲＧＢの色毎にはフォトダイオードを有さずに、モノクロのフォトダイオード３０２Ｍのみを有し、前記フォトダイオード３０２Ｍが主走査方向に沿って一列に並んで配列されてイメージセンサ７２Ａが構成されている。そして、所定周期で入射するＲＧＢの反射光を、前記フォトダイオード３０２Ｍが受け、受光したＲＧＢの３色の反射光に基づいて画像の最小単位である１画素に対応するＲＧＢの階調値データを生成する。
【０１１１】
よって、上述した透過原稿用のイメージセンサ７２Ｂとの相違点は、前述の組毎のフォトダイオード３０２の数が３ヶから１ヶに減っている点と、これに伴って、レジスタ３０４の長さが短くなっている点にある。つまり、このイメージセンサ７２Ａの構造は、上述したイメージセンサ７２Ｂにおいて、電荷転送部３０６に最も近いフォトダイオード３０２Ｇのみを備えた構造に相当する。よって、その説明は、上述のフォトダイオード３０２Ｇと概ね同じであり、その説明は省略する。
【０１１２】
＝＝フォトダイオードのリニアリティ不良について＝＝
図１６は、フォトダイオードのリニアリティ不良の説明図であって、フォトダイオードの入射光量と、検出部３１２からの出力値（検出部３１２にて検出された電荷量に比例して増減するアナログ電圧信号）との関係を示している。なお、図中の一点鎖線は正常なフォトダイオードの場合であり、実線はリニアリティ不良を生じているフォトダイオードの場合である。
【０１１３】
一点鎖線で示す正常な場合には、入射光量の全範囲に亘って出力値は線形に変化しているが、実線で示すリニアリティ不良のフォトダイオードの場合には、光量が少ない範囲において、光を受けても出力が出ない領域が存在している。そして、これに伴って、光量が多い範囲においても、その光量に対して本来出力されるべき値よりも小さな出力値になっている。
【０１１４】
このようなリニアリティ不良のフォトダイオードが存在する場合には、主走査方向の両隣のフォトダイオードとの間で出力値の差を生じてしまい、読み取り画像の連続性が損なわれる虞がある。例えば、読み取った画像中に、副走査方向に沿う筋状の画像欠陥が生じる虞がある。  
このため、複合装置１の生産ラインにおいては、その出荷前検査の一つとして、イメージセンサに対してリニアリティ不良の検査を行うことが検討されている。  
但し、この検査は、透過原稿用のイメージセンサ７２Ｂに対してのみ行い、反射原稿用のイメージセンサ７２Ａに対しては行わない。これは、イメージセンサ７２Ａについては、リニアリティ不良が起こり難いからである。
【０１１５】
この理由を、図１７を参照して説明する。なお、図１７は、レッド（Ｒ）のフォトダイオード３０２Ｒにて発生した電荷がレジスタ３０４を移動する様子を概略説明するための断面図である。
【０１１６】
リニアリティ不良のそもそもの原因は、例えば、図示のようにフォトダイオード３０２Ｒに発生した電荷を電荷転送部３０６へ移動する際に、電荷の一部がレジスタ３０４のポテンシャル井戸３２４に残留してしまうことにある。つまり、レジスタ３０４に電荷が残留するが故に、その残留分だけ検出部３１２へ転送される電荷量が減り、その結果、検出部３１２で検出される出力が小さくなってしまうのである。  
よって、レジスタ３０４での電荷の移動距離が長い程リニアリティ不良は生じ易くなると考えられ、つまり、図１３Ａのイメージセンサ７２Ｂにおいては、レジスタ３０４での移動距離の長い順番である、フォトダイオード３０８Ｒ、フォトダイオード３０８Ｂ、フォトダイオード３０８Ｇの順番でリニアリティ不良を生じ易い。
【０１１７】
ここで、この点に注意して図１３Ｂに示す反射原稿用のイメージセンサ７２Ａを見てみると、このイメージセンサ７２Ａにあっては、各レジスタ３０４に対応付けられたフォトダイオード３０８Ｍは一つであることから、そこで発生した電荷のレジスタ３０４での移動距離は、上述のフォトダイオード３０８Ｇ程度に短く、もって、そのレジスタ３０４には電荷が残留し難い。よって、この反射原稿用のイメージセンサ７２Ａは、その構造上、リニアリティ不良を起こし難いものであり、もって、このイメージセンサ７２Ａに対してはリニアリティ不良の検査を行う必要は無いのである。
【０１１８】
＝＝リニアリティ不良の出荷前検査＝＝
＜リニアリティ不良の検査方法の概要＞
図１８は、リニアリティ不良の検査方法の概要を説明するためのフロー図であり、また、図１９Ａ及び図１９Ｂは、この検査用にフォトダイオードで発生させた電荷が検出部３１２へと移動する様子を示す説明図である。なお、ここでは、透過原稿用のイメージセンサ７２Ｂが具備するフォトダイオード３０２Ｒ、３０２Ｂ、３０２Ｇのうちで、フォトダイオード３０２Ｒについてのみ説明するが、他のフォトダイオード３０２Ｂ、３０２Ｇについても同様の方法で検査される。
【０１１９】
先ず、透過原稿用光源６６Ｂの光をフォトダイオード３０２Ｒに当てて、図１９Ａに示すように、全てのフォトダイオード３０２Ｒ、３０２Ｒ、…３０２Ｒに電荷を発生させる（Ｓ１０１）。そして、これら発生した電荷を、各レジスタ３０４によって電荷転送部３０６に移動する（Ｓ１０２）。
【０１２０】
そうしたら、図１９Ｂに示すように、電荷転送部３０６は、各電荷を順番に検出部３１２へ送り、検出部３１２は、この順番で、各電荷の電荷量を検出して、電荷量に相当する大きさのアナログ電圧信号を出力する（Ｓ１０３）。これらアナログ電圧信号はＡＦＥ部２１０へと出力され、ＡＦＥ部２１０にてデジタルデータに変換された後にデジタル処理回路２１６を経て、例えば２５６階調からなる階調値データに変換される（Ｓ１０４、Ｓ１０５）。そして、データ出力回路２１６から、フォトダイオード３０２Ｒの個数分の階調値データが前記順番で出力され、これら階調値データに基づいてリニアリティ不良の判定が行われる（Ｓ１０６）。
【０１２１】
図２０は、このステップＳ１０６で行われるリニアリティ不良の判定の説明図である。横軸はデータの出力の順番、すなわちフォトダイオード３０２Ｒの主走査方向の位置を示す番号であり、縦軸は階調値である。
【０１２２】
ここで、主走査方向のｎ番目の位置のフォトダイオード３０２Ｒを判定対象とし、その階調値データをＤ（ｎ）とすると、以下の判定式に基づいてリニアリティ不良か否かが判定される。  
｜D（n-1）-D（n）｜＋｜D（n＋1）-D（n）｜-｜D（n＋1）-D（n-1）｜＞Dth
…（式１）
すなわち、判定対象のフォトダイオード３０２Ｒの階調値データＤ（ｎ）と、その両隣に位置するフォトダイオード３０２Ｒの階調値データＤ（ｎ−１）、Ｄ（ｎ＋１）とに基づいて計算される式１の左辺の値が、右辺の所期の閾値Ｄｔｈよりも大きい場合にリニアリティ不良と判定される。
【０１２３】
この式１は、次の式２のように書き換えることができる。  
Ｍｉｎ［｜D（n-1）-D（n）｜，｜D（n＋1）-D（n）｜］＞Dth’  
…（式２）
ここで、Ｍｉｎ［Ｘ，Ｙ］は、ＸおよびＹのうちの小さい値を意味する。
【０１２４】
すなわち、判定対象のフォトダイオード３０２Ｒの階調値データＤ（ｎ）と、その両隣に位置するフォトダイオード３０２Ｒの階調値データＤ（ｎ−１）、Ｄ（ｎ＋１）との各偏差の絶対値｜Ｄ（ｎ-１）−Ｄ（ｎ）｜、｜Ｄ（ｎ＋１）−Ｄ（ｎ）｜のうち、いずれか小さい方の値が、閾値Ｄｔｈ’よりも大きい場合にリニアリティ不良と判定される。
【０１２５】
なぜなら、D（n＋1）≧D（n-1）≧D（n）の場合には、上式１の左辺は次のように展開され、
（D（n-1）-D（n））＋（D（n＋1）-D（n））-（D（n＋1）-D（n-1））
＝２×（D（n-1）-D（n））
また、D（n-1）≧D（n＋1）≧D（n）の場合には、上式１の左辺は次のように展開されるからである。  
（D（n-1）-D（n））＋（D（n＋1）-D（n））-（D（n＋1）-D（n-1））
＝２×（D（n＋1）-D（n））
【０１２６】
そして、このような式２で判定すると良い理由は、階調値データの主走査方向に関する不連続性を正確に検出できるからである。つまり、判定対象の階調値データが、その両隣の階調値データのうち一方のみと乖離している場合には、階調値データの不連続性はさほど目立たないが、両隣の階調値データの両者とも乖離している場合には、階調値データの不連続性が著しく目立つからである。よって、式２によって、両隣の階調値データと大きく乖離している階調値のフォトダイオード３０２Ｒをリニアリティ不良として判定しているのである。
【０１２７】
また、このように隣のフォトダイオード３０２Ｒとの比較によって、リニアリティ不良を判定する理由は、このリニアリティ不良は、フォトダイオード１ヶ単位での発生傾向が強く、隣り合う複数のフォトダイオード３０２Ｒに亘って集団発生する傾向は少ないためである。
【０１２８】
＜リニアリティ不良の出荷前検査について＞
図２１は、リニアリティ不良の出荷前検査のフロー図である。また、図２２Ａ乃至図２２Ｃは、出荷前検査の各ステップにおけるスキャナ用キャリッジ６０の状態を示す説明図である。  
先ず、検査作業者は、ＵＳＢインターフェイス１１８を用いて、検査対象の複合装置１を検査ラインのコンピュータに接続する。また、同作業者は、図８に示すように複合装置１の原稿台カバー１２から反射板１３を外すとともに原稿台カバー１２を閉じて、透過原稿用光源６６Ｂが原稿台１１に光を照射可能な状態にセットする。  
そうしたら、検査ラインのコンピュータのＣＰＵは、複合装置１のスキャナコントロールユニット２１０のスキャナコントローラ２０２に指令を与えて、以下のステップを順次実行していく。
【０１２９】
（１）「透過原稿用光源６６Ｂの点灯・暖機ステップ（Ｓ２００）」
このステップでは、先ず、スキャナコントローラ２０２は、図２２Ａの待機ポジションＨＰに停止中のスキャナ用キャリッジ６０を副走査方向の下流へ移動して、図２２Ｂに示すように、その透過原稿用読み取り部７３Ｂを暖機ポジションＷＰに位置させる。この暖機ポジションＷＰでは、同図に示すように、上方に透過原稿用光源６６Ｂの端部が位置しており、もって、原稿台１１のガラス板を通して、前記光源６６Ｂの光が透過原稿用読み取り部７３Ｂのイメージセンサ７２Ｂに入射可能な状態となる。そして、透過原稿用光源６６Ｂを点灯し、その光量をイメージセンサ７２Ｂで検出して、検出された光量が所定値に安定したら前記光源６６Ｂの暖機が完了したものとして、次のステップＳ２１０へ移行する。
【０１３０】
（２）    「シェーディング補正用基準データ取得処理ステップ（Ｓ２１０）」
このステップでは、シェーディング補正に必要な黒基準データ及び白基準データを取得する。すなわち、先ず、スキャナコントローラ２０２は、透過原稿用光源６６Ｂを消灯し、しかる後に点灯する。そして、この消灯時及び点灯時における各フォトダイオードからの出力に基づいてシェーディング補正部２１７に、フォトダイオード毎に黒基準データ及び白基準データを生成させる。そして、次のステップＳ２２０へ移行する。ちなみに、ここでの消灯の時間は極く短時間であるため、その直後の点灯時の光源６６Ｂは十分に暖まった状態であり、再度の暖機の必要はない。
【０１３１】
（３）    「リニアリティ不良のフォトダイオードの検出ステップ（Ｓ２２０）」
このステップでは、先ず、スキャナコントローラ２０２は、スキャナ用キャリッジ６０を更に副走査方向の下流へ移動して、図２２Ｃに示すように、その透過原稿用読み取り部７３Ｂをリニアリティ不良の検査ポジションＣＰへ位置させる。この検査ポジションＣＰには、検査作業者によって予め１〜５％透過率の膜体６００が配置されており、この膜体６００の透過光をイメージセンサ７２Ｂに受光させて、上述したリニアリティ不良の判定を行う。  
すなわち、複合装置１のスキャナコントロールユニット１０４からは、そのデータ出力回路２１８とＵＳＢインターフェイス１１８を通じて検査ラインのコンピュータへと、受光にて生成された前記階調値データが順次送信される。そうしたら、検査ラインのコンピュータのＣＰＵは、これら階調値データ及び上述の式１に基づいて、各フォトダイオードがリニアリティ不良か否かを判定する。なお、このリニアリティ不良の判定を行うための判定プログラムは、検査ラインのコンピュータのメモリに格納されており、この判定プログラムを前記コンピュータのＣＰＵが読み出して、上記判定は実行される。  
そして、リニアリティ不良と判定されたフォトダイオードが存在した場合には、そのフォトダイオードを特定するためのフォトダイオードの位置情報が、検査ラインのコンピュータから複合装置１へと送信され、当該位置情報は複合装置１の制御部５０のメモリ９２に記憶される。なお、このステップＳ２２０で、１〜５％透過率の膜体６００を使用している理由については後述する。
【０１３２】
（４）    「透過原稿用光源６６Ｂの消灯ステップ（Ｓ２３０）」
このステップでは、透過原稿用光源６６Ｂを消灯する。そして、これによって、リニアリティ不良の出荷前検査は完了し、この複合装置１に係る他の検査の終了後、当該複合装置１は出荷される。
【０１３３】
＜リニアリティ不良の検出の際に、１〜５％の透過率の膜体６００を用いる理由＞
図２３Ａ及び図２３Ｂは、リニアリティ不良の検査の際に、１〜５％の透過率の膜体６００を用いる理由の説明図である。図２３Ａ及び図２３Ｂのいずれも、フォトダイオードの入射光量と、検出部３１２からの出力値との関係を示している。なお、図２３Ａは正常なフォトダイオードの場合であり、図２３Ｂはリニアリティ不良を生じているフォトダイオードの場合である。
【０１３４】
正常な場合には、図２３Ａに示すようにフォトダイオードの入射光量に対して検出部３１２の出力は正比例する。そして、このような出力特性の出力に対して、更にシェーディング補正をかけても、当該補正は、基本的には前述のゲイン値による乗算補正であることから、その補正後にも正比例の出力特性は維持される（破線を参照）。
【０１３５】
一方、リニアリティ不良の場合には、図２３Ｂに示すようにフォトダイオードが受ける光量が増加しても一定の光量に達しない限り出力は出てこず、光量の全範囲に亘って直線的な出力特性を得ることはできない。そして、このような出力特性の出力に対してシェーディング補正をかけても、前述のゲイン値が乗算されて得られる出力特性は、相変わらず、光量が少ない範囲において出力が出ない領域を有することとなり、もって、補正後の出力特性は図２３Ｂに示すようなものになる。
【０１３６】
ここで、図２３Ｂを参照して、正常な場合の補正後の出力特性と、リニアリティ不良の場合の補正後の出力特性とを比較すると、互いの出力の偏差は、リニアリティ不良のフォトダイオードの出力が出始める光量で最大となることが判る。よって、リニアリティ不良を検出する際には、この光量をフォトダイオードに受けさせれば、その検出感度を最も高めることができる。また、この出力が出始める光量というのは、フォトダイオードの最大検出光量を１００％とした場合に、その約１〜５％の光量である。
【０１３７】
従って、透過原稿用光源６６Ｂからの光を１〜５％の透過率の膜体６００を透過させてからフォトダイオードに受光させれば、正常なフォトダイオードとリニアリティ不良のフォトダイオードとの出力差を最大にすることができて、リニアリティ不良の検出感度を最も高めることができるわけであり、このようなことから、リニアリティ不良の検査の際に、１〜５％の透過率の膜体６００を用いているのである。
【０１３８】
＝＝出荷前検査のみでリニアリティ不良のフォトダイオードを決定することの問題点＝＝
前述したように、出荷された複合装置１のメモリ９２には、リニアリティ不良のフォトダイオードを特定するための位置情報が記憶されている。よって、この複合装置１が透過原稿５Ｂから画像を読み取る際には、リニアリティ不良のフォトダイオードは用いずに画像を読み取る。そして、このリニアリティ不良のフォトダイオードに係る階調値データは、例えば、両隣のフォトダイオードの階調値データによって補間処理を行うことで対処され、その結果、読み取り画像に生じる虞のある筋状の画像欠陥は防止される。  
しかしながら、フォトダイオードのリニアリティ不良の発生には温度依存性があって、特に低温環境下で発生し易い。そのため、出荷前検査で良判定のフォトダイオードであっても、出荷後のユーザ元での使用環境次第では、リニアリティ不良を引き起こす虞が有る。  
そこで、本実施形態の複合装置１では、上述したリニアリティ不良の検出を、複合装置１の電源投入後から読み取り動作までの間で行うようにしている（図２４を参照）。  
そして、これによれば、出荷後に使用温度環境が変化しても、その環境下でリニアリティ不良の検出を行うので、その環境下にてリニアリティ不良となり得るフォトダイオードを確実に把握できる。その結果、読み取り画像における筋状の画像欠陥は確実に防止される。
【０１３９】
＝＝本実施形態の複合装置１の電源投入から読み取り動作までのフローについて＝＝
図２４は本実施形態の複合装置１の電源投入から読み取り動作までのフロー図である。また、図２５Ａ乃至図２５Ｃ、並びに、図２６Ａ乃至図２６Ｃは、前記フロー図の各ステップにおけるスキャナ用キャリッジ６０の状態を示す説明図である。
【０１４０】
なお、このフローは、複合装置１の制御部５０のＣＰＵ９０がこのフローに対応するプログラムを、同制御部５０のメモリ９２から読み出し、そのプログラムに従ってスキャナコントロールユニット１０４を制御することによって実行される。なお、以下の説明では、ＣＰＵ９０が、スキャナコントロールユニット１０４の各構成機器を直接制御しているかのように記述しているが、実際には、ＣＰＵ９０は、スキャナコントロールユニット１０４のスキャナコントローラ２０２に指令を与え、その指令に基づいてスキャナコントローラ２０２が各構成機器を制御している。
【０１４１】
先ず、ユーザが複合装置１の電源ボタン８２を押すと、複合装置１は電源投入される。そして、これに伴ってＣＰＵ９０が電源投入信号を受信すると（ステップＳ３１０）、ステップＳ３２０へ移行してＣＰＵ９０は、複合装置１の起動準備として、図２５Ａに示すようにスキャナ用キャリッジ６０を副走査方向の待機ポジションＨＰまで移動する。そうしたら、ステップＳ３３０へ移行して、画像の読み取り指令を受信するまで、この状態で待機する。
【０１４２】
ここで、ユーザは、原稿台１１の載置面１１ａに原稿５を載置する。反射原稿５Ａの場合には、図２に示すように載置面１１ａに反射原稿５Ａだけを載置する。透過原稿５Ｂの場合には、図９に示すように透過原稿５Ｂを保持する前記透過原稿ホルダ５００ごと載置面１１ａに載置する。なお、透過原稿５Ｂの場合には、原稿台カバー１２に収容された透過原稿用光源６６Ｂを使用可能状態にすべく、原稿台カバー１２の裏面の反射板１３を取り外すことも行う（図８を参照）。そして、ユーザは原稿台カバー１２を閉じる。
【０１４３】
次に、原稿種類選択ボタン８７Ａ（８７Ｂ）、スキャンモードボタン８６、及び、スタートボタン８９Ｄ等が順次押されることによって、ＣＰＵ９０が画像の読み取り指令を受信すると、ＣＰＵ９０はステップＳ３４０へと移行し、その読み取り指令が、反射原稿５Ａ及び透過原稿５Ｂのいずれに関する読み取り指令なのかを判定する。そして、透過原稿５Ｂの読み取り指令であると判定した場合にはステップＳ３５０へ移行する一方、反射原稿５Ａであるとした場合にはステップＳ４５０へ移行する。
【０１４４】
なお、この判定は、前記読み取り指令に付帯されている原稿種類情報が、透過原稿情報及び反射原稿情報のいずれであるかに基づいて行われる。この原稿種類情報は、前記原稿種類選択ボタン８６Ａ（８６Ｂ）を押すことによって前記読み取り指令に付帯される。以下では、透過原稿情報が付帯されていた場合のフローを最初に説明し、その後で、反射原稿情報が付帯されていた場合のフローを説明する。
【０１４５】
＜読み取り指令に透過原稿情報が付帯されていた場合＞
透過原稿情報が付帯されていた場合には、ステップＳ３５０の「透過原稿用光源の点灯・暖機ステップ」へ移行する。そして、先ずＣＰＵ９０はスキャナ用キャリッジ６０を副走査方向の下流へ移動して、図２５Ｂに示すように、その透過原稿用読み取り部７３Ｂを暖機ポジションＷＰに位置させる。この暖機ポジションＷＰでは、図２５Ｂに示すように、その上方に透過原稿用光源６６Ｂの端部が位置し、更には透過原稿ホルダ５００の前記点灯チェック用スリット５１２が位置している。よって、原稿台１１のガラス板及び前記透過原稿ホルダ５００の点灯チェック用スリット５１２を通して、前記光源６６Ｂの光がイメージセンサ７２Ｂに直接入射可能な状態となる。そうしたら、前記光源６６Ｂを点灯し、その光量をイメージセンサ７２Ｂで検出して、検出された光量が所定値に安定したら前記光源６６Ｂの暖機が完了したものとして、ＣＰＵ９０は次のステップ３６０へ移行する。
【０１４６】
ステップ３６０の「シェーディング補正用基準データ取得ステップ」では、シェーディング補正に必要な黒基準データ及び白基準データを取得する。すなわち、先ず、透過原稿用光源６６Ｂを消灯し、しかる後に点灯する。そして、この消灯時及び点灯時におけるイメージセンサ７２Ｂの各フォトダイオードからの出力に基づいて、シェーディング補正部２１７は、フォトダイオード毎に黒基準データ及び白基準データを生成する。そうしたら、ＣＰＵ９０は次のステップＳ３７０へ移行する。
【０１４７】
ステップＳ３７０の「リニアリティ不良のフォトダイオードの検出ステップ」では、ＣＰＵ９０は、先ず、スキャナ用キャリッジ６０を更に副走査方向の下流へ移動して、図２５Ｃに示すように、その透過原稿用読み取り部７３Ｂをリニアリティ不良の検査ポジションＣＰへ位置させる。そして、この検査ポジションＣＰには、前述した透過原稿ホルダ５００のリニアリティ不良検出用膜体６１０が位置している。よって、透過原稿用光源６６Ｂからの光を、この膜体６１０に透過させた後に、イメージセンサ７２Ｂのフォトダイオードに受光させて、上述したリニアリティ不良の判定が行われる。
【０１４８】
すなわち、スキャナコントロールユニット１０４からは、そのデータ出力回路２１８を介してＣＰＵ９０へと、受光により生成された前記階調値データが順次送信される。そうしたら、ＣＰＵ（判定部に相当）９０は、これら階調値データ及び上述の式１に基づいて、各フォトダイオードがリニアリティ不良であるか否かを判定する。なお、このリニアリティ不良の判定を行うための判定プログラムは、制御部５０のメモリ９２に予め格納されており、この判定プログラムをＣＰＵ９０が読み出して、リニアリティ不良の判定は実行される。
【０１４９】
ここで、リニアリティ不良と判定されたフォトダイオードが存在した場合には、そのフォトダイオードを特定するためのフォトダイオードの位置情報が、前記メモリ９２に記憶される。なお、このメモリ９２に既に位置情報が記憶されている場合には、これら位置情報は破棄して、今回リニアリティ不良と判定されたフォトダイオードの位置情報のみを記憶する。そして、ＣＰＵ９０は、次のステップＳ３８０へ移行する。
【０１５０】
ステップＳ３８０の「透過原稿からの画像の読み取りステップ」では、スキャナ用キャリッジ６０を更に副走査方向の下流へ移動しながら、透過原稿５Ｂを透過した光をイメージセンサ７２Ｂが受けることによって、前記読み取り領域内の画像を読み取っていく。
【０１５１】
なお、この読み取りに際しては、ＣＰＵ９０は、前記メモリ９２に記憶された、リニアリティ不良のフォトダイオードの位置情報を、スキャナコントロールユニット１０４のデジタル処理回路２１６へ送信する。そして、デジタル処理回路２１６は、前記位置情報に基づいてリニアリティ不良のフォトダイオードに係る階調値データを破棄するとともに、これに代えて、その両隣のフォトダイオードに係る階調値データを用いて代わりの階調値データを補間生成する。そして、スキャナ用キャリッジ６０が読み取り領域を外れたら、ＣＰＵ９０は次のステップＳ３９０へ移行する。
【０１５２】
ステップＳ３９０の「透過原稿用光源の消灯ステップ」では、ＣＰＵ９０は、スキャナ用キャリッジ６０を待機ポジションＨＰへ戻しながら、透過原稿用光源６６Ｂを消灯する。そして、ステップＳ３３０へ戻り、次の読み取り指令の受信まで待機する。
【０１５３】
＜読み取り指令に反射原稿情報が付帯されていた場合＞
一方、読み取り指令に反射原稿情報が付帯されていた場合には、ステップＳ３４０から、ステップＳ４５０の「反射原稿用光源の点灯・暖機ステップ」へと移行する。そうしたら、ＣＰＵ９０は、図２６Ａに示す待機ポジションＨＰのスキャナ用キャリッジ６０を副走査方向の下流へ移動して、図２６Ｂに示すように、その反射原稿用読み取り部７３Ａを第２暖機ポジションＷＰ２に位置させる。この第２暖機ポジションＷＰ２では、図２６Ｂに示すように、その上方に白基準板７００が位置している。よって、反射原稿用光源６６Ａからの光が白基準板７００に反射されてイメージセンサ７２Ａに入射可能な状態となる。そして、前記光源６６Ａたる３色のＬＥＤを順次点灯し、これら光量をイメージセンサ７２Ａで検出して、検出された光量が所定値に安定したら前記光源６６Ａの暖機が完了したものとして、ＣＰＵ９０は次のステップ４６０へ移行する。
【０１５４】
ステップ４６０の「シェーディング補正用基準データ取得ステップ」では、シェーディング補正に必要な黒基準データ及び白基準データを取得する。すなわち、先ず、反射原稿用光源６６ＡたるＲＧＢのＬＥＤを全て消灯し、しかる後にＲＧＢのＬＥＤを順次点灯する。そして、この消灯時及び点灯時におけるイメージセンサ７２Ａの各フォトダイオードからの出力に基づいて、シェーディング補正部２１７は、フォトダイオード毎且つＲＧＢの色毎に黒基準データ及び白基準データを生成する。そうしたら、ＣＰＵ９０は次のステップＳ４８０へ移行する。
【０１５５】
なお、前述した透過原稿５Ｂの場合では、このタイミングで、「リニアリティ不良のフォトダイオードの検出ステップ（Ｓ３７０）」が行われていたが、当該反射原稿５Ａの場合には行われない。これは、前述したように、反射原稿用のイメージセンサ７２Ａは、モノクロのフォトダイオードであり、そのレジスタ３０４の長さが短いことからリニアリティ不良が起こり難く、もって、リニアリティ不良の検査の必要がないからである。
【０１５６】
ステップＳ４８０の「反射原稿５Ａからの画像の読み取りステップ」では、図２６Ｃに示すように、スキャナ用キャリッジ６０を副走査方向の下流へ移動しながら、そのイメージセンサ７２Ｂによって反射原稿５Ａからの反射光を受けて、読み取り領域の範囲内の画像を読み取っていく。そして、スキャナ用キャリッジ６０が読み取り領域を外れたら、ＣＰＵ９０は次のステップＳ４９０へ移行する。
【０１５７】
ステップＳ４９０の「反射原稿用光源６６Ａの消灯ステップ」では、ＣＰＵ９０は、スキャナ用キャリッジ６０を待機ポジションＨＰへ戻しながら、反射原稿用光源６６Ａを消灯する。そして、ステップＳ３３０へ戻り、次の読み取り指令の受信まで待機する。
【０１５８】
＝＝電源投入から画像の読み取り動作までのフローの変形例について＝＝
図２７に、電源投入から読み取り動作までのフローの変形例を示している。  
上述の実施形態では、図２４に示すように、透過原稿５Ｂからの画像の読み取り動作の度に、ステップＳ３７０の「リニアリティ不良のフォトダイオードの検出ステップ」を実行していたが、この変形例にあっては、図２７に示すように、電源投入後における、最初の透過原稿５Ｂからの画像の読み取り動作に対してのみ「リニアリティ不良のフォトダイオードの検出ステップ」を行い、それ以降の透過原稿５Ｂからの画像の読み取り動作に対しては、「リニアリティ不良のフォトダイオードの検出ステップ」を省略している。  
すなわち、前述の実施形態との主な相違点は、図２７でステップＳ３６５が追加されている点にあり、それ以外の点は前述の実施形態（図２４）とほぼ同じである。よって、以下ではこのステップＳ３６５について主に説明する。
【０１５９】
このステップＳ３６５においては、今回の読み取り指令が、電源投入後における、透過原稿５Ｂに関する初回の読み取り指令か否かが判定される。そして、透過原稿５Ｂに関する初回の読み取り指令であると判定された場合には、ステップＳ３７０の「リニアリティ不良のフォトダイオードの検出ステップ」を実行後、ステップＳ３８０の「透過原稿５Ｂからの画像の読み取りステップ」を行う。一方、ステップＳ３６５において、透過原稿５Ｂに関する初回の読み取り指令ではないと判定された場合には、ステップＳ３７０の「リニアリティ不良のフォトダイオードの検出ステップ」を迂回してステップＳ３８０の「透過原稿５Ｂからの画像の読み取りステップ」を実行する。
【０１６０】
なお、この初回の読み取り指令でない場合には、「透過原稿５Ｂからの画像の読み取りステップ」においては、リニアリティ不良のフォトダイオードを、制御部５０のメモリ９２に記憶された前記位置情報に基づいて把握する。すなわち、制御部５０のメモリ９２には既に初回の読み取りステップの際に実行された「リニアリティ不良のフォトダイオードの検出ステップ」によって、リニアリティ不良のフォトダイオードの位置情報が記憶されている。従って、この位置情報を用いてリニアリティ不良のフォトダイオードを把握し、当該フォトダイオードに係る階調値データを破棄するとともに、これに代えて、その両隣のフォトダイオードに係る階調値データによって代わりの階調値データを補間生成しながら画像データを生成する。
【０１６１】
このように初回の読み取りステップの際に用いた前記位置情報を２回目以降の読み取りステップに対して代用可能な理由は次の通りである。リニアリティ不良は、温度が低い程に発生し易く、また、電源投入以降にあっては、複合装置１の内部温度は、その電力消費に伴って上昇していく。このことを勘案すると、電源投入後で初回の読み取りステップの前の時点というのは、複合装置１の内部温度が最も低くなる時点であり、もって、この時点でリニアリティ不良を検出しておけば、それ以降で、良判定であったフォトダイオードがリニアリティ不良となる虞は殆どない。その結果、画像欠陥を引き起こし得るフォトダイオードの特定が確実に保証されるのである。
【０１６２】
＝＝その他の実施の形態＝＝
以上、一実施形態に基づき、本発明について複合装置１を例にして説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【０１６３】
＜光電変換素子について＞
前述の実施形態では、「光電変換素子」としてフォトダイオード３０２Ｒ、３０２Ｂ、３０２Ｇ、３０３Ｍが用いられていたが、ここでいう「光電変換素子」としては、このようなフォトダイオード３０２Ｒ、３０２Ｂ、３０２Ｇ、３０２Ｍに限らない。つまり、光電効果により電荷が発生するような素子であれば、どのようなタイプの素子であっても構わない。
【０１６４】
＜リニアリティ不良のフォトダイオードの検出について＞
前述の実施形態では、透過原稿用のイメージセンサ７２Ｂに対してだけ、リニアリティ不良の検出を行ったが、前述のモノクロのフォトダイオードを具備する反射原稿用のイメージセンサ７２Ａに対してリニアリティ不良の検出を行うようにしても良い。
【０１６５】
その場合には、図２４のフロー図におけるステップＳ４６０とＳ４８０との間に、図２８に示すようにステップＳ４７０として「リニアリティ不良のフォトダイオードの検出ステップ」が追設される。また、複合装置１には、図２９に示すように副走査方向の前記白基準板７００の下流側に、反射率が１〜５％の基準板６２０が設けられる。
【０１６６】
そして、ステップＳ４７０において、スキャナ用キャリッジ６０を前記第２暖機ポジションＷＰ２から副走査方向の下流へ移動して、図２９に示すようにその反射原稿用読み取り部７３Ａを前記基準板６２０の設置位置ＣＰ２の下方に位置させたら、反射原稿用光源６６ＡのＲＧＢのＬＥＤを順次点灯する。そして、前記基準板６２０からの反射光をイメージセンサ７２Ｂの各フォトダイオードに受光させ、その受光によってスキャナコントロールユニット１０４から、フォトダイオード毎且つＲＧＢの色毎に出力される階調値データと上述の式１に基づいて、リニアリティ不良か否かの判定をすれば良い。
【図面の簡単な説明】
【０１６７】
【図１】複合装置１の外観斜視図である。
【図２】スキャナ部１０の概要を説明するための斜視図である。
【図３】スキャナ部１０およびプリンタ部３０の内部機構の説明図である。
【図４】スキャナ部１０が有するスキャナ用キャリッジ６０の分解斜視図である。
【図５】複合装置１の操作パネル２の説明図である。
【図６】本実施形態に係る複合装置１の制御部５０のシステム構成を示すブロック図である。
【図７】反射原稿５Ａからの画像の読み取り動作についての説明図である。
【図８】透過原稿５Ｂからの画像の読み取りに係る説明図である。
【図９】載置面１１ａに透過原稿５Ｂを載置した状態を示す図である。
【図１０】透過原稿５Ｂからの画像の読み取り動作についての説明図である。
【図１１Ａ】透過原稿ホルダ５００の斜視図である。
【図１１Ｂ】透過原稿ホルダ５００の平面図である。
【図１１Ｃ】透過原稿ホルダ５００の平面図である。
【図１２】スキャナコントロールユニット１０４の構成の説明図である。
【図１３】図１３Ａ及び図１３Ｂは、それぞれ、イメージセンサ７２Ａ及びイメージセンサ７２Ｂに設けられた光電変換素子についての説明図である。
【図１４】図１４Ａは、レッド（Ｒ）のフォトダイオード３０２Ｒにて発生した電荷の移動の様子を示す図であり、図１４Ｂ及び図１４Ｃは、それぞれ、ブルー（Ｂ）のフォトダイオード３０２Ｂ及びグリーン（Ｇ）のフォトダイオード３０２Ｇにて発生した電荷の移動の様子を示す図である。
【図１５】図１５Ａは、フォトダイオード３０２Ｒにて電荷が発生したときの様子を示す図であり、図１５Ｂは、フォトダイオード３０２Ｒにて発生した電荷が電荷転送部３０６に移動したときの様子を示す図であり、図１５Ｃおよび図１５Ｄは、フォトダイオード３０２Ｒにて発生した電荷が電荷転送部３０６に移動した後の様子を示す図である。
【図１６】フォトダイオードのリニアリティ不良の説明図である。
【図１７】レッド（Ｒ）のフォトダイオード３０２Ｒにて発生した電荷がレジスタ３０４を移動する様子を概略説明するための断面図である。
【図１８】リニアリティ不良の検査方法の概要を説明するためのフロー図である。
【図１９】図１９Ａ及び図１９Ｂは、リニアリティ不良の検査用にフォトダイオードで発生させた電荷が検出部３１２へと移動する様子を示す説明図である。
【図２０】ステップＳ１０６で行われるリニアリティ不良の判定の説明図である。
【図２１】リニアリティ不良の出荷前検査のフロー図である。
【図２２】図２２Ａ乃至図２２Ｃは、出荷前検査の各ステップにおけるスキャナ用キャリッジ６０の状態を示す説明図である。
【図２３】図２３Ａ及び図２３Ｂは、リニアリティ不良の検査の際に、１〜５％の透過率の膜体６００を用いる理由の説明図である。
【図２４】本実施形態の複合装置１の電源投入から読み取り動作までのフロー図である。
【図２５】図２５Ａ乃至図２５Ｃは、図２４のフロー図の各ステップにおけるスキャナ用キャリッジ６０の状態を示す説明図である。
【図２６】図２６Ａ乃至図２６Ｃは、図２４のフロー図の各ステップにおけるスキャナ用キャリッジ６０の状態を示す説明図である。
【図２７】電源投入から読み取り動作までのフローの変形例である。
【図２８】反射原稿用のイメージセンサ７２Ｂに対して「リニアリティ不良のフォトダイオードの検出ステップ」を行う場合の電源投入から読み取り動作までのフロー図である。
【図２９】図２８のフロー図の「リニアリティ不良のフォトダイオードの検出ステップ」おけるスキャナ用キャリッジ６０の状態を示す説明図である。
【符号の説明】
【０１６８】
１  複合装置、２  操作パネル、３  排紙部、４  給紙部、
５  原稿、５Ａ  反射原稿、５Ｂ  透過原稿、
７  排紙トレイ、８  給紙トレイ、１０  スキャナ部、
１１  原稿台、１１ａ  載置面、１１ｂ  凹部、
１２  原稿台カバー、１３  反射板、１４  プラテン、
１５  搬送モータ、１７Ａ  搬送ローラ、２１  ヘッド、
２４  駆動機構、３０  プリンタ部、３６  搬送機構、
４１  プリンタ用キャリッジ、４２  キャリッジモータ、４４  プーリ、
４５  タイミングベルト、４６  ガイドレール、５０  制御部、
５１  リニア式エンコーダ符号板、５２  検出部、５３  紙検知センサ、
５６  ロータリ式エンコーダ、６０  スキャナ用キャリッジ、
６２  駆動機構、６４  ガイドレール、
６６Ａ  反射原稿用光源、６６Ｂ  透過原稿用光源、
７０Ａ  レンズ、７０Ｂ  レンズ、
７２Ａ  イメージセンサ、７２Ｂ  イメージセンサ、
７３Ａ  反射原稿用読み取り部、７３Ｂ  透過原稿用読み取り部、
７４  タイミングベルト、７５  プーリ、７６  プーリ、７７  駆動モータ、
８０  液晶ディスプレイ、８２  電源ボタン、８３  各種設定ボタン、
８４  コピーモードボタン、８５  印刷モードボタン、８６  スキャンモードボタン、
８７Ａ  反射原稿ボタン８７Ａ、８７Ｂ  透過原稿ボタン８７Ｂ、
８９Ａ  ＯＫボタン、８９Ｂ  キャンセルボタン、
８９Ｄ  スタートボタン（カラー）、８９Ｅ  スタートボタン（モノクロ）、
８９Ｆ  ストップボタン、８９Ｇ  十字ボタン、８９Ｈ  メニューボタン、
９０  ＣＰＵ、９２  メモリ、９４  制御ＡＳＩＣ、９６  ＳＤＲＡＭ、
９８  ＣＰＵバス、１０２  ＡＳＩＣ用ＳＤＲＡＭ、
１０４  スキャナコントロールユニット、１０６  リサイズユニット、
１０８  ２値化処理ユニット、１１０  インターレース処理ユニット、
１１２  イメージバッファユニット、１１４  ＣＰＵインターフェイスユニット、
１１６  ヘッドコントロールユニット、１１８  ＵＳＢインターフェイス、
１２０  ラインバッファ、１２２  リサイズバッファ、
１２４  インターレースバッファ、１２６  イメージバッファ、
１２７  イメージバッファ、１２８  ローカルバス、１３２  イメージバッファ、
１３３  イメージバッファ、１３４  イメージバッファ、
１３６  ルックアップテーブル、１４０  ホストコンピュータ、
２０２  コントローラ、２０４  モータ制御部、２０６  ランプ制御部、
２０８  センサ制御部、２１０  ＡＦＥ部、２１２  アナログ信号処理回路、
２１４  Ａ／Ｄ変換回路、２１６  デジタル処理回路、
２１７  シェーディング補正部、２１８  データ出力回路、
３０２Ｒ  フォトダイオード、３０２Ｂ  フォトダイオード、
３０２Ｇ  フォトダイオード、３０４  レジスタ、３０６  電荷転送部、
３０８Ｒ  第１ゲート、３０８Ｂ  第１ゲート、３０８Ｇ  第１ゲート、
３１０  第２ゲート、３１２  検出部、３１４  半導体基板、
３１６Ａ  電極部、３１６Ｂ  電極部、３１６Ｃ  電極部、３１６Ｄ  電極部、
３２０  ポテンシャル井戸、３２２  ポテンシャル井戸、３２４  ポテンシャル井戸、
３２６  ポテンシャル井戸、３２８  ポテンシャル井戸、
５００  透過原稿ホルダ、５０２  ベースプレート、５０２ｂ  凸部、
５０４  カバープレート、５０６  写真フィルム用開口部、
５０８  スライド用開口部、５１０  ヒンジ部、
５１２  点灯チェック用スリット、５１４  矩形スリット、
６００  膜体、６１０  リニアリティ不良検出用膜体、６２０  基準板、
７００  白基準板、ＲＲＢ  読み取り領域、ＨＰ  待機ポジション、
ＷＰ  暖機ポジション、ＷＰ２  第２暖機ポジション、
ＣＰ  検査ポジション、ＣＰ２  設置位置
【図１】
2007088616.tif 000003
【図２】
2007088616.tif 000004
【図３】
2007088616.tif 000005
【図４】
2007088616.tif 000006
【図５】
2007088616.tif 000007
【図６】
2007088616.tif 000008
【図７】
2007088616.tif 000009
【図１１Ａ】
2007088616.tif 000010
【図１１Ｃ】
2007088616.tif 000011
【図１２】
2007088616.tif 000012
【図１３】
2007088616.tif 000013
【図１６】
2007088616.tif 000014
【図１８】
2007088616.tif 000015
【図２０】
2007088616.tif 000016
【図２１】
2007088616.tif 000017
【図２３】
2007088616.tif 000018
【図２４】
2007088616.tif 000019
【図２５】
2007088616.tif 000020
【図２７】
2007088616.tif 000021
【図２８】
2007088616.tif 000022
【図８】
2007088616.tif 000023
【図９】
2007088616.tif 000024
【図１０】
2007088616.tif 000025
【図１１Ｂ】
2007088616.tif 000026
【図１４】
2007088616.tif 000027
【図１５】
2007088616.tif 000028
【図１７】
2007088616.tif 000029
【図１９】
2007088616.tif 000030
【図２２】
2007088616.tif 000031
【図２６】
2007088616.tif 000032
【図２９】
2007088616.tif 000033